(57)【特許請求の範囲】
【請求項１】
移動通信システムにおける端末（ＵＥ）がフィードバック情報を送信する方法であって、
少なくとも１つのチャネル状態情報基準信号（ＣＳＩ−ＲＳ）に関する情報、少なくとも１つの干渉測定リソース（ＩＭＲ）に関する情報、送信期間とオフセットとの組み合せを示す少なくとも一つのＣＳＩフィードバックに関する情報、前記少なくとも一つのＣＳＩ−ＲＳに関する情報及び前記少なくとも一つのＩＭＲに関する情報に１対１にマッピングされる少なくとも１つのＣＳＩフィードバックインデックスを受信するステップと、
前記少なくとも１つのＣＳＩ−ＲＳに関する情報に基づくチャネル推定と前記少なくとも一つのＩＭＲに基づく干渉測定から前記少なくとも一つのＣＳＩフィードバックを獲得するステップと、
前記送信期間とオフセットとの組み合せを示す少なくとも一つのＣＳＩフィードバックに関する情報を用いて前記少なくとも１つのフィードバックを送信するステップと
を有することを特徴とする方法。
【請求項２】
ＣＳＩフィードバックの情報を示すモードに関する情報を受信するステップをさらに有し、
前記ＣＳＩフィードバックの情報は、広帯域チャネル品質指示子（ｗＣＱＩ）、サブ帯域ＣＱＩ（ｓＣＱＩ）、広帯域プリコーディングマトリックスインデックス（ｗＰＭＩ）、サブ帯域ＰＭＩ（ｓＰＭＩ）、ランキング指示子（ＲＩ）及びプリコーディングタイプ指示子（ＰＴＩ）のうち少なくとも一つまたは少なくとも二つの組み合せを有することを特徴とする請求項１に記載の方法。
【請求項３】
異なるＣＳＩフィードバックインデックスに対応するＣＳＩフィードバックが衝突する場合、前記ＣＳＩフィードバックのうち最も低いＣＳＩフィードバックインデックスを有するＣＳＩフィードバックを除外したＣＳＩフィードバックインデックスに対応するＣＳＩフィードバックをドロップするステップをさらに含むことを特徴とする請求項１に記載の方法。
【請求項４】
異なる属性のフィードバックタイプを有するＣＳＩフィードバックが衝突する場合、前記ＣＳＩフィードバックのうちより高い優先順位を有するＣＳＩフィードバックを除外したＣＳＩフィードバックをドロップするステップをさらに有することを特徴とする請求項１に記載の方法。
【請求項５】
他のＣＳＩフィードバックのＲＩは参照ＣＳＩフィードバックのＲＩと同一であることを特徴とする請求項１に記載の方法。
【請求項６】
移動通信システムにおける中央制御装置がフィードバック情報を受信する方法であって、
少なくとも１つのチャネル状態情報基準信号（ＣＳＩ−ＲＳ）に関する情報、少なくとも１つの干渉測定リソース（ＩＭＲ）に関する情報、送信期間とオフセットとの組み合せを示す少なくとも一つのＣＳＩフィードバックに関する情報、前記少なくとも一つのＣＳＩ−ＲＳに関する情報及び前記少なくとも一つのＩＭＲに関する情報に１対１にマッピングされる少なくとも１つのＣＳＩフィードバックインデックスを端末（ＵＥ）に送信するステップと、
前記少なくとも１つのＣＳＩフィードバックを前記ＵＥから受信するステップとを有し、
前記少なくとも１つのＣＳＩフィードバックは、前記ＵＥで前記少なくとも１つのＣＳＩ−ＲＳに関する情報に基づくチャネル測定と前記少なくとも一つのＩＭＲに基づく干渉測定から獲得され、
前記少なくとも１つのＣＳＩフィードバックは、前記ＵＥで前記送信期間とオフセットとの組み合せを示す少なくとも一つのＣＳＩフィードバックに関する情報を用いて送信されることを特徴とする方法。
【請求項７】
ＣＳＩフィードバックの情報を示すモードに関する情報を送信するステップをさらに有し、
前記ＣＳＩフィードバックの情報は、広帯域チャネル品質指示子（ｗＣＱＩ）、サブ帯域ＣＱＩ（ｓＣＱＩ）、広帯域プリコーディングマトリックスインデックス（ｗＰＭＩ）、サブ帯域ＰＭＩ（ｓＰＭＩ）、ランキング指示子（ＲＩ）及びプリコーディングタイプ指示子（ＰＴＩ）のうち少なくとも一つまたは少なくとも二つの組み合せを有することを特徴とする請求項６に記載の方法。
【請求項８】
異なるＣＳＩフィードバックインデックスに対応するＣＳＩフィードバックが衝突する場合、前記ＣＳＩフィードバックのうち最も低いＣＳＩフィードバックインデックスを有するＣＳＩフィードバックを除外したＣＳＩフィードバックインデックスに対応するＣＳＩフィードバックはドロップされることを特徴とする請求項６に記載の方法。
【請求項９】
異なる属性のフィードバックタイプを有するＣＳＩフィードバックが衝突する場合、前記ＣＳＩフィードバックのうちより高い優先順位を有するＣＳＩフィードバックを除外したＣＳＩフィードバックはドロップされることを特徴とする請求項６に記載の方法。
【請求項１０】
他のＣＳＩフィードバックのＲＩは参照ＣＳＩフィードバックのＲＩと同一であることを特徴とする請求項６に記載の方法。
【請求項１１】
移動通信システムにおける端末（ＵＥ）であって、
少なくとも１つのチャネル状態情報基準信号（ＣＳＩ−ＲＳ）に関する情報、少なくとも１つの干渉測定リソース（ＩＭＲ）に関する情報、送信期間とオフセットとの組み合せを示す少なくとも一つのＣＳＩフィードバックに関する情報、前記少なくとも一つのＣＳＩ−ＲＳに関する情報及び前記少なくとも一つのＩＭＲに関する情報に１対１にマッピングされる少なくとも１つのＣＳＩフィードバックインデックスを受信する受信部と、
前記少なくとも１つのＣＳＩ−ＲＳに関する情報に基づくチャネル推定と前記少なくとも一つのＩＭＲに基づく干渉測定から前記少なくとも一つのＣＳＩフィードバックを獲得する制御部と、
前記送信期間とオフセットとの組み合せを示す少なくとも一つのＣＳＩフィードバックに関する情報を用いて前記少なくとも１つのフィードバックを送信する送信部と
を有することを特徴とする端末。
【請求項１２】
前記受信部は、ＣＳＩフィードバックの情報を示すモードに関する情報を受信し、
前記ＣＳＩフィードバックの情報は、広帯域チャネル品質指示子（ｗＣＱＩ）、サブ帯域ＣＱＩ（ｓＣＱＩ）、広帯域プリコーディングマトリックスインデックス（ｗＰＭＩ）、サブ帯域ＰＭＩ（ｓＰＭＩ）、ランキング指示子（ＲＩ）及びプリコーディングタイプ指示子（ＰＴＩ）のうち少なくとも一つまたは少なくとも二つの組み合せを有することを特徴とする請求項１１に記載の端末。
【請求項１３】
前記制御部は、異なるＣＳＩフィードバックインデックスに対応するＣＳＩフィードバックが衝突する場合、前記ＣＳＩフィードバックのうち最も低いＣＳＩフィードバックインデックスを有するＣＳＩフィードバックを除外したＣＳＩフィードバックインデックスに対応するＣＳＩフィードバックをドロップすることを特徴とする請求項１１に記載の端末。
【請求項１４】
前記制御部は、異なる属性のフィードバックタイプを有するＣＳＩフィードバックが衝突する場合、前記ＣＳＩフィードバックのうちより高い優先順位を有するＣＳＩフィードバックを除外したＣＳＩフィードバックをドロップすることを特徴とする請求項１１に記載の端末。
【請求項１５】
他のＣＳＩフィードバックのＲＩは参照ＣＳＩフィードバックのＲＩと同一であることを特徴とする請求項１１に記載の端末。
【請求項１６】
移動通信システムにおける中央制御装置であって、
少なくとも１つのチャネル状態情報基準信号（ＣＳＩ−ＲＳ）に関する情報、少なくとも１つの干渉測定リソース（ＩＭＲ）に関する情報、送信期間とオフセットとの組み合せを示す少なくとも一つのＣＳＩフィードバックに関する情報、前記少なくとも一つのＣＳＩ−ＲＳに関する情報及び前記少なくとも一つのＩＭＲに関する情報に１対１にマッピングされる少なくとも１つのＣＳＩフィードバックインデックスを端末（ＵＥ）に送信する送信部と、
前記少なくとも１つのＣＳＩフィードバックを前記ＵＥから受信する受信部とを有し、
前記少なくとも１つのＣＳＩフィードバックは、前記ＵＥで前記少なくとも１つのＣＳＩ−ＲＳに関する情報に基づくチャネル測定と前記少なくとも一つのＩＭＲに基づく干渉測定から獲得され、
前記少なくとも１つのＣＳＩフィードバックは、前記ＵＥで前記送信期間とオフセットとの組み合せを示す少なくとも一つのＣＳＩフィードバックに関する情報を用いて送信されることを特徴とする中央制御装置。
【請求項１７】
前記送信部は、ＣＳＩフィードバックの情報を示すモードに関する情報を送信し、
前記ＣＳＩフィードバックの情報は、広帯域チャネル品質指示子（ｗＣＱＩ）、サブ帯域ＣＱＩ（ｓＣＱＩ）、広帯域プリコーディングマトリックスインデックス（ｗＰＭＩ）、サブ帯域ＰＭＩ（ｓＰＭＩ）、ランキング指示子（ＲＩ）及びプリコーディングタイプ指示子（ＰＴＩ）のうち少なくとも一つまたは少なくとも二つの組み合せを有することを特徴とする請求項１６に記載の中央制御装置。
【請求項１８】
異なるＣＳＩフィードバックインデックスに対応するＣＳＩフィードバックが衝突する場合、前記ＣＳＩフィードバックのうち最も低いＣＳＩフィードバックインデックスを有するＣＳＩフィードバックを除外したＣＳＩフィードバックインデックスに対応するＣＳＩフィードバックはドロップされることを特徴とする請求項１６に記載の中央制御装置。
【請求項１９】
異なる属性のフィードバックタイプを有するＣＳＩフィードバックが衝突する場合、前記ＣＳＩフィードバックのうちより高い優先順位を有するＣＳＩフィードバックを除外したＣＳＩフィードバックはドロップされることを特徴とする請求項１６に記載の中央制御装置。
【請求項２０】
他のＣＳＩフィードバックのＲＩは参照ＣＳＩフィードバックのＲＩと同一であることを特徴とする請求項１６に記載の中央制御装置。
【発明の詳細な説明】
【技術分野】
【０００１】
本発明は、一般的に、複数の基地局（Base Station、ＢＳ）を含むセルラー移動通信システムにおけるフィードバック情報を生成するための方法及び装置に係り、より詳しくは、複数の基地局が協調して端末（User Equipment、ＵＥ）へのダウンリンク送信をサポートする協調マルチポイント（Coordinated multi-point：ＣｏＭＰ）システムにおけるフィードバック情報を送受信する方法及び装置に関する。
【背景技術】
【０００２】
移動通信システムは、音声中心のサービスを越えて、データサービス及びマルチメディアサービスを提供するために高速及び高品質の無線パケットデータ通信システムに発展している。
【０００３】
最近では、第３世代パートーナーシッププロジェクト（3rd Generation Partnership Project、３ＧＰＰ）により提案された高速ダウンリンクパケットアクセス（High Speed Downlink Packet Access、ＨＳＤＰＡ）、高速アップリンクパケットアクセス（High Speed Uplink Packet Access、ＨＳＵＰＡ）、ロングタームエボルーション（Long Term Evolution、ＬＴＥ）、ロングタームエボルーションアドバンスド（Long Term Evolution Advanced、ＬＴＥ−Ａ）、３ＧＰＰ２により提案された高速パケットデータ（High Rate Packet Data、ＨＲＰＤ）、及びＩＥＥＥにより提案された８０２．１６のような様々な移動通信標準が高速及び高品質の無線パケットデータ送信サービスをサポートするために開発された。
【０００４】
特に、高速無線パケットデータ送信を効率的にサポートするために開発されたＬＴＥシステムは、様々な無線接続技術を活用して無線システムキャパシティを最大にする。ＬＴＥシステムから進歩したＬＴＥ−Ａシステムは、ＬＴＥシステムと比較する時に向上したデータ送信能力を有する。
【０００５】
ＨＳＤＰＡ、ＨＳＵＰＡ、及びＨＲＰＤのような第３世代（３Ｇ）無線パケットデータ通信システムは、送信効率を向上させるために適応変調及び符号化（Adaptive Modulation and Coding、ＡＭＣ）方式及びチャネルセンシティブスケジューリング（channel-sensitive scheduling）方式のような技術を使用する。ＡＣＭ方式及びチャネルセンシティブスケジューリング方式において、送信器は、受信器からフィードバックされる部分的なチャネル状態情報に基づいて決定された最も効率的な時点で適切な変調及び符号化方式（ＭＣＳ）を適用する。
【０００６】
ＡＭＣ方式が適用された無線パケットデータ通信システムにおいて、送信器は、チャネル状態に従って送信データの量を調整する。すなわち、チャネル状態が悪い場合に、送信器は、受信誤り確率を所望のレベルに設定するために送信データの量を減少させる。他方、チャネル状態が良好な場合に、送信器は、受信誤り確率を所望のレベルに設定しつつも多くの情報を効率的に送信するために送信データの量を増加させる。
【０００７】
追加で、チャネルセンシティブスケジューリングリソース管理方式を活用する時に、送信器が複数のユーザの中で優秀なチャネル状態を有するユーザに選択的にサービスを提供するために、システムキャパシティは、チャネルをユーザに割り当てた後にサービスを提供する場合に比べて増加する。このようなシステムキャパシティの増加は、通常、‘マルチユーザダイバーシティ（Multi-user Diversity）利得’と呼ばれる。ＡＭＣ方式が多入力多出力（Multiple Input Multiple Output、ＭＩＭＯ）方式とともに使用される場合に、送信信号の空間層（spatial layer）の個数又はランク（rank）を決定する機能が採用されることができる。この場合に、ＡＭＣ方式を採用する無線パケットデータ通信システムは、最適のデータ送信率（data rate）を決定するにあたりに、符号化率及び変調方式だけではなくＭＩＭＯ送信のためのレイヤーの個数も考慮する。
【０００８】
一般的に、直交周波数分割多重接続（ＯＦＤＭＡ）は、符号分割多重接続（ＣＤＭＡ）に比べて、キャパシティを増加させることができる技術である。ＯＦＤＭＡ方式においてキャパシティを増加させる幾つかの理由の内の１つは、周波数領域スケジューリング（Frequency Domain Scheduling）を実行することができるというものである。
【０００９】
チャネルセンシティブスケジューリングを使用する場合に、チャネルが時間により変わる特性に基づいてキャパシティ利得を得ることができる。同様に、チャネルが周波数により変わる特性を用いてさらに多くのキャパシティ利得を得ることができる。したがって、第２世代（２Ｇ）及び３Ｇ移動通信システムで使用されたＣＤＭＡを次世代通信システムにおけるＯＦＤＭＡ（Orthogonal Frequency Division Multiple Access）に置き換えようとする研究が活発に進んでいる。３ＧＰＰ及び３ＧＰＰ２は、ＯＦＤＭＡに基づく進化したシステムに関する標準化研究を始めた。
【００１０】
図１は、送信（Ｔｘ）／受信（Ｒｘ）アンテナが各セルの中央に含まれたセルラー移動通信システムを示す図である。
【００１１】
図１を参照すると、複数のセルを含むセルラー移動通信システムにおいて、ＵＥは、上述した幾つかの方法に基づいて移動通信サービスを半静的（semi-static）期間の間に選択された１つのセルから受信する。図１において、セルラー移動通信システムが３個のセル１００、１１０、及び１２０（セル１、セル２、及びセル３）を含むと仮定する。セル１は、移動通信サービスをＵＥ１０１及びＵＥ１０２（ＵＥ１及びＵＥ２）に提供し、セル２は、移動通信サービスをＵＥ１１１（ＵＥ３）に提供し、セル３は、移動通信サービスをＵＥ１２１（ＵＥ４）に提供する。アンテナ１３０、１３１、及び１３２は、セル１００、１１０、及び１２０の中央に含まれる。アンテナ１３０、１３１、及び１３２は、ＢＳ又は中継器に対応する。
【００１２】
セル１から移動通信サービスを受信するＵＥ２は、ＵＥ１に比べてアンテナ１３０からの距離が相対的に遠い。また、ＵＥ２がセル３の中央に配置されたアンテナ１３２から大きい干渉を経験するために、セル１は、ＵＥ２に対して相対的に低いデータ送信速度をサポートする。
【００１３】
セル１、セル２、及びセル３が移動通信サービスを独立して提供する場合に、これらは、セル別にダウンリンクチャネル状態を測定するように基準信号（Reference Signal、ＲＳ）を送信する。３ＧＰＰ  ＬＴＥ−Ａシステムにおいて、ＵＥは、チャネル状態情報基準信号（channel status information reference signal、ＣＳＩ−ＲＳ）を用いてＵＥとＢＳとの間のチャネル状態を測定し、チャネル状態情報をＢＳにフィードバックする。
【００１４】
図２は、ＬＴＥ−ＡシステムにおけるＢＳからＵＥに送信されるＣＳＩ−ＲＳの位置を示す図である。
【００１５】
図２を参照すると、ＬＴＥ−Ａシステムで使用可能なリソースは、同一のサイズのリソースブロック（ＲＢ）に分割される。リソースの横軸及び縦軸は、それぞれ時間及び周波数を示す。２本のＣＳＩ−ＲＳアンテナポートに対する信号は、ＲＢ２００乃至２１９のそれぞれのリソースを通して送信される。すなわち、ＢＳは、ＲＢ２００のリソースを通してダウンリンク測定のための２本のＣＳＩ−ＲＳをＵＥに送信する。
【００１６】
図１に示すように、複数のセルを含むセルラー移動通信システムにおいて、自身の固有の位置を有するＲＢが各セルに割り当てられ、割り当てられたＲＢのリソースを通してＣＳＩ−ＲＳが送信される。例えば、図１において、セル１は、ＲＢ２００のリソースを通してＣＳＩ−ＲＳを送信し、セル２は、ＲＢ２０５のリソースを通してＣＳＩ−ＲＳを送信し、セル３は、ＲＢ２１０のリソースを通してＣＳＩ−ＲＳを送信する。このように、ＣＳＩ−ＲＳ送信のための異なるＲＢ（例えば、異なる時間及び周波数リソース）を異なるセルに割り当てる理由は、異なるセルからのＣＳＩ−ＲＳ間の相互干渉を防止するためである。
【００１７】
ＵＥは、ＣＳＩ−ＲＳを用いてダウンリンクチャネルを推定し、ランキング指示子（Ranking Indication、ＲＩ）、チャネル品質指示子（ＣＱＩ）、及びプリコーディングマトリックスインデックス（Precoding Matrix Index、ＰＭＩ）を推定されたダウンリンクチャネルのＣＳＩとして生成し、ＣＳＩをＢＳにフィードバックする。ＵＥからのＰＵＣＣＨ（Physical Uplink Control Channel）を通した周期的なＣＳＩフィードバックは、４つのモードでなされる。
１．モード１−０：ＲＩ、広帯域ＣＱＩ（ｗＣＱＩ）
２．モード１−１：ＲＩ、ｗＣＱＩ、広帯域ＰＭＩ（ｗＰＭＩ）
３．モード２−０：ＲＩ、ｗＣＱＩ、サブ帯域ＣＱＩ（ｓＣＱＩ）
４．モード２−１：ＲＩ、ｗＣＱＩ、ｗＰＭＩ、ｓＣＱＩ、ｓＰＭＩ
【００１８】
４つのフィードバックモードでの各情報のフィードバックタイミングは、上位レイヤーシグナリング（higher-layer signaling）により示されるＮｐｄ、ＮＯＦＦＳＥＴ，ＣＱＩ、ＭＲＩ、及びＮＯＦＦＳＥＴ，ＲＩに従って決定される。モード１−０において、ｗＣＱＩの送信期間は、Ｎｐｄであり、ｗＣＱＩのフィードバックタイミングは、ＮＯＦＦＳＥＴ，ＣＱＩのサブフレームオフセットを用いて決定される。追加で、ＲＩの送信期間及びオフセットは、それぞれＮｐｄ・ＭＲＩ及びＮＯＦＦＳＥＴ，ＣＱＩ＋ＮＯＦＦＳＥＴ，ＲＩである。モード１−１及びモード１−０は、同一のフィードバックタイミングを有するが、ＰＭＩは、モード１−１において、ｗＣＱＩの送信タイミングでｗＣＱＩとともに送信される。図３は、モード１−０及びモード１−１でのＲＩ、ｗＣＱＩ、及びＰＭＩのフィードバックタイミングを示す。ここで、各送信タイミングは、サブフレームインデックスとして示される。
【００１９】
モード２−０において、ｓＣＱＩのフィードバック期間及びオフセットは、それぞれＮｐｄ及びＮＯＦＦＳＥＴ，ＣＱＩである。ｗＣＱＩのフィードバック期間及びオフセットは、それぞれＨ・Ｎｐｄ及びＮＯＦＦＳＥＴ，ＣＱＩである。ここで、Ｈ＝Ｊ・Ｋ＋１であり、Ｋは、上位レイヤーシグナリングで示される値であり、Ｊは、システム帯域幅により決定される値である。例えば、Ｊは、１０ＭＨｚシステムの場合に３である。したがって、ｗＣＱＩは、Ｈ回のｓＣＱＩ送信ごとに１回ずつｓＣＱＩに置き換えて送信される。ＲＩのフィードバック期間及びオフセットは、それぞれＭＲＩ・Ｈ・Ｎｐｄ及びびＮＯＦＦＳＥＴ，ＣＱＩ＋ＮＯＦＦＳＥＴ，ＲＩである。モード２−１は、モード２−０と同一のフィードバックタイミングを有するが、ＰＭＩがｗＣＱＩの送信タイミングでｗＣＱＩとともに送信される点では異なる。図４は、Ｎｐｄ＝２、ＭＲＩ＝２、Ｊ＝３（１０ＭＨｚ）、Ｋ＝１、ＮＯＦＦＳＥＴ，ＣＱＩ＝１、ＮＯＦＦＳＥＴ，ＲＩ＝−１という条件の下に、モード２−０及びモード２−１でのＲＩ、ｓＣＱＩ、ｗＣＱＩ、ＰＭＩのフィードバックタイミングを示す。
【００２０】
上述したフィードバックタイミングは、ＣＳＩ−ＲＳアンテナポートの本数が４本又はそれ以下の場合に設定される。８本のＣＳＩ−ＲＳアンテナポートの場合には、上記の場合とは異なり、２種類のＰＭＩ情報がフィードバックされる。８本のＣＳＩ−ＲＳアンテナポートの場合には、モード１−１は、２つのサブモードにさらに分割される。第１のサブモードにおいて、第１のＰＭＩは、ＲＩとともに送信され、第２のＰＭＩは、ｗＣＱＩとともに送信される。ここで、ＲＩ及び第１のＰＭＩのフィードバック期間及びオフセットは、それぞれＭＲＩ・Ｎｐｄ及びＮＯＦＦＳＥＴ，ＣＱＩ＋ＮＯＦＦＳＥＴ，ＲＩとして定義され、ｗＣＱＩ及び第２のＰＭＩのフィードバック期間及びオフセットは、それぞれＮｐｄ及びＮＯＦＦＳＥＴ，ＣＱＩとして定義される。
【００２１】
８本のＣＳＩ−ＲＳアンテナポートの場合に、プリコーディングタイプ指示子（Precoding Type Indicator、ＰＴＩ）は、モード２−１に付加される。ＰＴＩは、ＲＩとともにフィードバックされ、その期間は、ＭＲＩ・Ｈ・Ｎｐｄであり、オフセットは、ＮＯＦＦＳＥＴ，ＣＱＩ＋ＮＯＦＦＳＥＴ，ＲＩとして定義される。ＰＴＩが０である場合には、第１のＰＭＩ、第２のＰＭＩ、及びｗＣＱＩがフィードバックされる。ｗＣＱＩ及び第２のＰＭＩは、同一のタイミングで送信され、その期間は、Ｎｐｄであり、オフセットは、ＮＯＦＦＳＥＴ，ＣＱＩで与えられる。また、第１のＰＭＩのフィードバック期間及びオフセットは、それぞれＨ・Ｎｐｄ及びＮＯＦＦＳＥＴ，ＣＱＩである。ここで、Ｈ’は、上位レイヤーシグナリングで示される。他方、ＰＴＩが１である場合には、ＰＴＩ及びＲＩがともに送信され、ｗＣＱＩ及び第２のＰＭＩがともに送信される。ｓＣＱＩが追加でフィードバックされる。第１のＰＭＩは送信されない。ＰＴＩ及びＲＩのフィードバック期間及びオフセットは、ＰＴＩが０である場合におけるＰＴＩ及びＲＩのそれと同一である。ｓＣＱＩのフィードバック期間及びオフセットは、それぞれＮｐｄ及びＮＯＦＦＳＥＴ，ＣＱＩとして定義される。また、ｗＣＱＩ及び第２のＰＭＩは、Ｈ・Ｎｐｄの期間及びＮＯＦＦＳＥＴ，ＣＱＩのオフセットでフィードバックされ、Ｈは、ＣＳＩ−ＲＳアンテナポートの本数が４本である場合と同一である。図５及び図６は、Ｎｐｄ＝２、ＭＲＩ＝２、Ｊ＝３（１０ＭＨｚ）、Ｋ＝１、Ｈ’＝３、ＮＯＦＦＳＥＴ，ＣＱＩ＝１、及びＮＯＦＦＳＥＴ，ＲＩ＝−１という条件の下に、８本のＣＳＩ−ＲＳアンテナポートに対するモード２−１において、ＰＴＩ＝０及びＰＴＩ＝１である場合のフィードバックタイミングを示す。
【００２２】
従来のＣＳＩフィードバック技術は、ＵＥがＣｏＭＰ送信、すなわち、複数の送信地点からの同時送信のためのマルチＣＳＩフィードバック状況を考慮せず、１個のＣＳＩフィードバックを送信するという前提に基づいている。
【発明の概要】
【発明が解決しようとする課題】
【００２３】
本発明の目的は、少なくとも上述した問題点及び／又は不都合に取り組み、少なくとも以下の利便性を提供することにある。すなわち、本発明の目的は、移動通信システムにおけるフィードバック情報を送受信する方法及び装置を提供することにある。
【００２４】
本発明の他の目的は、移動通信システムにおける協調マルチポイント（ＣｏＭＰ）送信のためのマルチチャネル状態情報（ＣＳＩ）フィードバック方法及び装置を提供することにある。
【課題を解決するための手段】
【００２５】
上記のような目的を達成するために、本発明の一態様によれば、移動通信システムにおける端末（ＵＥ）がフィードバック情報を送信する方法が提供される。上記方法は、少なくとも１つのチャネル状態情報基準信号（ＣＳＩ−ＲＳ）に関する情報を受信するステップと、上記少なくとも１つのＣＳＩ−ＲＳに関する情報に基づいてチャネル推定を実行するステップと、少なくとも１つのフィードバックに関する情報を受信するステップと、上記少なくとも１つのフィードバックに関する情報を用いてチャネル推定結果を含む少なくとも１つのフィードバック情報を送信するステップとを有し、上記少なくとも１つのフィードバックに関する情報は、上記少なくとも１つのフィードバックに対する送信タイミング及びフィードバックモードに関する情報を含むことを特徴とする。
【００２６】
本発明の他の態様によれば、移動通信システムにおける少なくとも１つのセルを管理する中央制御装置がフィードバック情報を受信する方法が提供される。上記方法は、少なくとも１つのチャネル状態情報基準信号（ＣＳＩ−ＲＳ）を端末（ＵＥ）に送信するステップと、少なくとも１つのフィードバックに関する情報を上記端末に送信するステップと、上記少なくとも１つのフィードバックに関する情報に基づいて送信された少なくとも１つのフィードバックを上記端末から受信するステップとを有し、上記少なくとも１つのフィードバックに関する情報は、上記少なくとも１つのＣＳＩ−ＲＳに関する情報に基づいて生成されたチャネル推定結果を含み、上記少なくとも１つのフィードバックに対する送信タイミング及びフィードバックモードに関する情報を含むことを特徴とする。
【００２７】
本発明のさらに他の態様によれば、移動通信システムにおける端末（ＵＥ）が提供される。上記端末は、送信部と、少なくとも１つのチャネル状態情報基準信号（ＣＳＩ−ＲＳ）に関する情報を受信する受信部と、上記少なくとも１つのＣＳＩ−ＲＳに関する情報に基づいてチャネル推定を実行し、少なくとも１つのフィードバックに関する情報が受信される場合に、上記少なくとも１つのフィードバックに関する情報を使用してチャネル推定結果を含む少なくとも１つのフィードバック情報を送信するように上記送信器を制御する制御部とを含み、上記少なくとも１つのフィードバックに関する情報は、上記少なくとも１つのフィードバックに対する送信タイミング及びフィードバックモードに関する情報を含むことを特徴とする。
【００２８】
本発明のさらなる他の態様によれば、移動通信システムにおける少なくとも１つのセルを管理する中央制御装置が提供される。上記中央制御装置は、少なくとも１つのチャネル状態情報基準信号（ＣＳＩ−ＲＳ）に関する情報及び少なくとも１つのフィードバックに関する情報を上記端末（ＵＥ）に送信する送信部と、上記少なくとも１つのフィードバックに関する情報に基づいて送信された少なくとも１つのフィードバックを上記端末から受信する受信部とを含み、上記少なくとも１つのフィードバックに関する情報は、上記少なくとも１つのＣＳＩ−ＲＳに関する情報に基づいて生成されたチャネル推定結果を含み、上記少なくとも１つのフィードバックに対する送信タイミング及びフィードバックモードに対する情報を含むことを特徴とする。
【００２９】
本発明の他の目的、利点、及び顕著な特徴は、添付の図面及び本発明の実施形態からなされた以下の詳細な説明から、この分野の当業者に明確になるはずである。
【発明の効果】
【００３０】
本発明によると、ダイナミックセルブランキング（ＤＢ）方式及びジョイント送信（ＪＴ）方式が使用される場合に、複数のＢＳが協調してＵＥへのダウンリンク送信をサポートするＬＴＥ−Ａ  ＣｏＭＰシステムにおいて、マルチＣＳＩフィードバックを考慮してフィードバック情報のタイプ、期間、及びタイミングを設定することにより効率的なフィードバックを実行することができる。
【００３１】
本発明の実施形態の上述した及び他の様相、特徴、及び利点は、以下の添付図面が併用された後述の詳細な説明から、より一層明らかになるだろう。
【図面の簡単な説明】
【００３２】
【図１】送信（Ｔｘ）／受信（Ｒｘ）アンテナがセル別に中央に含まれるセルラー移動通信システムを示す図である。
【図２】通常のロングタームエボルーションアドバンスド（ＬＴＥ−Ａ）システムにおける基地局（ＢＳ）が端末（ＵＥ）に送信するチャネル状態情報基準信号（ＣＳＩ−ＲＳ）の位置を示す図である。
【図３】通常のＬＴＥ−Ａシステムにおけるモード１−０又はモード１−１でのＵＥのフィードバックタイミングを示す図である。
【図４】通常のＬＴＥ−Ａシステムにおけるモード２−０又はモード２−１でのＵＥのフィードバックタイミングを示す図である。
【図５】通常のＬＴＥ−Ａシステムにおけるプリコーディングタイプ指示子（Precoding Type Indicator、ＰＴＩ）が０である場合に８本のＣＳＩ−ＲＳアンテナポートに対するモード２−１でのＵＥのフィードバックタイミングを示す図である。
【図６】通常のＬＴＥ−ＡシステムにおけるＰＴＩが１である場合に８本のＣＳＩ−ＲＳアンテナポートに対するモード２−１でのＵＥのフィードバックタイミングを示す図である。
【図７】本発明の実施形態によるセルラー移動通信システムの構造を示す図である。
【図８】本発明の実施形態によるＢＳがＵＥに送信するＣＳＩ−ＲＳの位置を示す図である。
【図９】本発明の第２の実施形態によるＵＥのフィードバックタイミングを示す図である。
【図１０】本発明の第３の実施形態によるＵＥのフィードバックタイミングを示す図である。
【図１１】本発明の第３の実施形態によるＵＥのフィードバックタイミングを示す図である。
【図１２】本発明の第３の実施形態によるＵＥのフィードバックタイミングを示す図である。
【図１３】本発明の第４の実施形態によるＵＥのフィードバックタイミングを示す図である。
【図１４】本発明の第４の実施形態によるＵＥのフィードバックタイミングを示す図である。
【図１５】本発明の実施形態によるＵＥの構成を示すブロック図である。
【図１６】本発明の実施形態によるＵＥの動作を示すフローチャートである。
【図１７】本発明の実施形態による中央制御装置の構成を示すブロック図である。
【図１８】本発明の実施形態による中央制御装置の動作を示すフローチャートである。
【発明を実施するための形態】
【００３３】
以下、本発明の実施形態が直交周波数分割多重化（Orthogonal Frequency Division Multiplexing、ＯＦＤＭ）無線通信システム、特に、第３世代パートーナーシッププロジェクト（３ＧＰＰ）次世代ユニバーサル地上波無線アクセス（Evolved Universal Terrestrial Radio Access、ＥＵＴＲＡ）標準を参照して詳細に説明されるが、本発明の主題が、本発明の範囲及び趣旨を逸脱することなく、わずかな変形で類似した技術的な背景及びチャネル構成を有する他の通信システムにも適用可能であるということは、当該技術分野における通常の知識を有する者には明らかである。
【００３４】
セルラー移動通信システムは、限定された領域内の複数のセルを含む。各セルは、対応するセル内の移動通信を制御する基地局（ＢＳ）装備を備える。ＢＳ装備は、移動通信サービスをセル内の端末（ＵＥ）に提供する。この時に、特定のＵＥは、半静的（semi-static）に決定された１つのセルのみから移動通信サービスを受信する。このようなシステムは、非協調マルチポイント（non-Coordinated Multi-Point：以下、“ｎｏｎ−ＣｏＭＰ”と称する）システムと呼ばれる。
【００３５】
ｎｏｎ−ＣｏＭＰシステムにおいて、セル内のＵＥのデータ送信率は、セル内のＵＥの位置に基づいて変わる。すなわち、対応するセルの中央に位置したＵＥは、一般的に、高いデータ送信率を有するが、セルのエッジに位置したＵＥは、一般的に、低いデータ送信率を有する。
【００３６】
ｎｏｎ−ＣｏＭＰシステムの反対の概念は、ＣｏＭＰシステムである。ＣｏＭＰシステムにおいて、複数のセルは、ＵＥをサポートするために相互に協調してセルのエッジに位置したＵＥにデータを送信（以下、“ＣｏＭＰ送信”と称する）する。したがって、ＣｏＭＰシステムは、ｎｏｎ−ＣｏＭＰシステムに比べて、向上した移動通信サービスをＵＥに提供する。本発明の実施形態は、ＣｏＭＰシステムの中でもダイナミックセル選択（dynamic cell selection、ＤＳ）方式、ダイナミックセル選択及びブランキング（dynamic cell selection with dynamic blanking、ＤＳ／ＤＢ）方式、及びジョイント送信（Joint Transmission、ＪＴ）方式を考慮してフィードバック情報を送信する方法及び装置を提供する。この時に、ＤＳ方式において、ＵＥは、セル別チャネル状態を測定し、この測定されたチャネル状態に関連したフィードバック情報をＢＳに送信する。その後に、ＢＳは、ダウンリンクデータをＵＥに送信するセルをダイナミックに選択する。ＤＳ／ＤＢ方式において、特定のセルは、他のセルとの干渉を減少させるためにデータ送信を中断する。ＪＴ方式は、複数のセルから特定のＵＥに同時にデータを送信する技術である。すなわち、この問題を解決するために、本発明の実施形態は、ＤＳ、ＤＳ／ＤＢ、又はＪＴ方式をＬＴＥ−Ａシステムに効率的に適用できるようにフィードバック構造を設計する。
【００３７】
図７は、本発明の実施形態によるセルラー移動通信システムの構造を示す図である。図７において、セルラー移動通信システムが３個のセル３００、３１０、及び３２０（セル１、セル２、及びセル３）を含むと仮定する。本発明の実施形態において、セルは、特定の送信地点がサービスできるデータ送信領域を意味する。各送信地点は、マクロ領域内のマクロＢＳとセル識別子（ＩＤ）を共有するリモートラジオヘッド（Remote Radio Head、ＲＲＨ）又は異なるセルＩＤを有するマクロセル又はピコセルである。
【００３８】
中央制御装置は、ＵＥとデータを送受信し、送受信されたデータを処理する。ここで、各送信地点がマクロＢＳとセルＩＤとを共有するＲＲＨである場合には、マクロＢＳが、中央制御装置と呼ばれる。しかしながら、各送信地点が異なるセルＩＤを有するマクロセル又はピコセルである場合には、セルを統合された方式で管理する装置が、中央制御装置と呼ばれる。
【００３９】
図７を参照すると、セルラー移動通信システムにおいて、第１、第３、及び第４のＵＥ（ＵＥ１、ＵＥ３、及びＵＥ４）は、３個のセル３００、セル３１０、及びセル３２０（セル１、セル２、及びセル３）の中で最も近いセルからデータを受信し、第２のＵＥ３０２（ＵＥ２）は、ＣｏＭＰによりセル１、セル２、及びセル３からデータを受信する。最も近いセルからデータを受信するＵＥ１、ＵＥ３、及びＵＥ４は、セルから受信されたチャネル状態情報基準信号（ＣＳＩ−ＲＳ）を用いてチャネルを推定し、関連するフィードバック情報を中央制御装置３３０に送信する。しかしながら、ＵＥ２は、ＣｏＭＰ方式を通してセル１、セル２、及びセル３からデータを受信するために、セル１、セル２、及びセル３のすべてから受信されたチャネルを推定する。したがって、中央制御装置３３０は、ＵＥ２のチャネル推定のために、３個のセル３００、３１０、及び３２０に対応する３個のＣＳＩ−ＲＳに対するリソースをＵＥ２に割り当てる。中央制御装置３３０がＣＳＩ−ＲＳをＵＥ２に割り当てる方法については、図８を参照して説明する。
【００４０】
図８は、本発明の実施形態によるＢＳがＵＥに送信するＣＳＩ−ＲＳの位置を示す図である。
【００４１】
図８を参照すると、中央制御装置３３０は、ＣｏＭＰ送信がサポートされるＵＥ２が３個のセル３００、３１０、及び３２０からのチャネルをそれぞれ推定でき、制御情報及びシステム情報を運搬するためのチャネルを推定できるように、それぞれのリソース４０１、４０２、及び４０３を３個のＣＳＩ−ＲＳに割り当て、この割り当てられたリソースを使用してＣＳＩ−ＲＳを送信する。すなわち、参照符号４０１は、セル１のチャネル推定のために使用されるＣＳＩ−ＲＳに割り当てられるリソースを示し、参照符号４０２は、セル２のチャネル推定のために使用されるＣＳＩ−ＲＳに割り当てられるリソースを示し、参照符号４０３は、セル３のチャネル推定のために使用されるＣＳＩ−ＲＳに割り当てられるリソースを示す。このように、ＣｏＭＰ  ＵＥのチャネル推定のために送信される少なくとも１つのＣＳＩ−ＲＳに割り当てられたリソースを含むセット又はＣＳＩ−ＲＳリソースに対応するセルを含むセットを測定セット（measurement set）と呼ぶ。
【００４２】
［第１の実施形態］
複数のセルを含む測定セットがＵＥに割り当てられる場合に、この測定セットに関するＣＳＩフィードバックは、大きく２種類の方法で考えることができる。１つは、測定セットのセル別に異なるＣＳＩフィードバックモード及び異なるタイミングでＣＳＩのフィードバックを実行する方法である。例えば、測定セットが｛Ｃｅｌｌ−１、Ｃｅｌｌ−２、Ｃｅｌｌ−３｝である場合に、フィードバックモード及びタイミングは、セル当たりのＣＳＩフィードバック方法で各セルに割り当てられる。すなわち、例１で説明した割り当て方法を使用する。
【００４３】
［例１］
■  Ｃｅｌｌ−１：（モード１−１、Ｎｐｄ＝１０、ＭＲＩ＝２、ＮＯＦＦＳＥＴ，ＣＱＩ＝０、ＮＯＦＦＳＥＴ，ＲＩ＝−１）
■  Ｃｅｌｌ−２：（モード１−１、Ｎｐｄ＝１０、ＭＲＩ＝２、ＮＯＦＦＳＥＴ，ＣＱＩ＝２、ＮＯＦＦＳＥＴ，ＲＩ＝−１）
■  Ｃｅｌｌ−３：（モード１−１、Ｎｐｄ＝１０、ＭＲＩ＝２、ＮＯＦＦＳＥＴ，ＣＱＩ＝４、ＮＯＦＦＳＥＴ，ＲＩ＝−１）
【００４４】
例１に示すように、フィードバックモード及びタイミングがセル別にＣｏＭＰ  ＵＥに割り当てられる場合には、各フィードバックタイミング間の衝突を考慮する必要がある。例１において、衝突は、送信期間とオフセットとの適切な組み合せを通して避けられることができる。しかしながら、送信期間及びオフセットの間違った設定、キャリアアグリゲーション（carrier aggregation）状況、又は時分割デュプレキシング（time division duplexing、ＴＤＤ）状況は、フィードバックタイミング間の衝突を引き起こす可能性がある。本発明の実施形態によれば、衝突においては最も高い優先順位を有するセルに対するフィードバックが常に最初に送信される。すなわち、ＲＩ、ＰＭＩ、ＣＱＩの中の１つの情報が他の１つの情報と衝突する場合に、より高い優先順位を有するセルに関する情報が優先してフィードバックされる。このような方法は、セル間のフィードバック衝突が発生する場合にもＣｏＭＰを考慮せずフィードバックを送信でき、したがって、ＵＥがマルチフィードバック衝突による性能の劣化なしに少なくとも１つのセルからデータを受信することができるという点で有利である。
【００４５】
セルは、ＢＳが測定セット及び測定セットに含まれたセルの優先順位レベルをＵＥにシグナリングし、ＵＥがセルの優先順位レベルに基づいてセルの優先順位をつけることにより優先順位がつけられる。また、セルは、測定セットに含まれたセルに対するＣＳＩ−ＲＳリソースインデックスに従って優先順位がつけられることができ、又は最も高い優先順位レベルは、フィードバック期間が最も短いセルに割り当てられることができる。
【００４６】
図８において、中央制御装置３３０は、干渉測定のための追加のリソースをＵＥ２に割り当てる。ＵＥ２が単位時間当りに受信できるデータの量は、信号の強度だけでなく干渉の大きさにも影響を及ぼす。したがって、中央制御装置３３０は、ＵＥ２が干渉を正確に測定できるように、干渉だけを測定できる干渉測定リソース（Interference Measurement Resource、ＩＭＲ）をＵＥ２に割り当てる。
【００４７】
ＢＳは、１つのＩＭＲを１つのＵＥに割り当てることによりＵＥが測定セットのすべてのＣＳＩ−ＲＳの信号成分に関わる共通干渉の大きさを測定する。また、ＢＳは、複数のＩＭＲをＵＥに割り当てることにより対応するＵＥが様々な状況での干渉を測定できるようにする。
【００４８】
図８を参照すると、ＵＥ２は、割り当てられた３個のＣＳＩ−ＲＳリソース４０１、４０２、及び４０３を使用して３個のセル３００、３１０、及び３２０から受信された信号を測定し、割り当てられたＩＭＲ４１０を使用して３個のセル３００、３１０、及び３２０から信号を受信する時に発生する干渉を測定する。このとき、ＢＳは、ＵＥ２への多くの干渉がＩＭＲ４１０によく反映されることができるようにＩＭＲ４１０を使用して隣接セルの信号送信を制御する。
【００４９】
本発明の実施形態は、複数のセルを含む測定セット及び１つ以上のＩＭＲがＵＥに割り当てられる場合に、ＢＳに送信されなければならないフィードバックの種類、フィードバックの生成及び送信を行う方法、及び異なるタイプのフィードバックが特定のタイミングで衝突する場合のＵＥフィードバック動作について考慮する。
【００５０】
複数のセルを含む測定セット及び１つ以上のＩＭＲがＵＥに割り当てられる時に、ＢＳは、発生可能な信号及び干渉について複数のフィードバックをＵＥに割り当てる。その後に、ＵＥは、割り当てられたフィードバックに従ってフィードバック情報を生成した後に、定められたフィードバック送信タイミングでフィードバック情報をＢＳに送信する。
【００５１】
例えば、ＵＥに割り当てられた測定セットが｛ＣＳＩ−ＲＳ−１、ＣＳＩ−ＲＳ−２｝であり、ＣＳＩ−ＲＳ−１及びＣＳＩ−ＲＳ−２がそれぞれＣｅｌｌ−１及びＣｅｌｌ−２により送信されるＣＳＩ−ＲＳであり、ＢＳが１つのＩＭＲをＵＥに割り当て、この割り当てられたＩＭＲが測定セットのセル以外のセルからの干渉を反映する場合に、ＢＳ及びＵＥは、次のような動作を実行する。
【００５２】
ＢＳは、下記の表１に示すような４通りの信号及び干渉に関するフィードバック（ＦＢ）を割り当て、ＵＥは、割り当てられたＦＢに従ってフィードバック情報を生成し送信する。
【００５３】
【表１】
0005969037.tif 000002
【００５４】
表１において、ＩＭＲ＋Ｃｅｌｌ−２は、ＵＥがＩＭＲで測定された干渉とＣｅｌｌ−２から受信されるＣＳＩ−ＲＳ−２で測定された干渉との和をＦＢ１に対するフィードバックとして認識することを意味する。すなわち、ＦＢ１は、Ｃｅｌｌ−１から信号を受信し、Ｃｅｌｌ−２及び測定セットのセル以外のＩＭＲに反映されたセルが干渉を発生させる場合に対するＣＳＩフィードバックを示す。ＦＢ２は、Ｃｅｌｌ−１から信号を受信し、Ｃｅｌｌ−２がブランキング状態にあり信号を送信しないので測定セットのセル以外のセルのみが干渉を発生させる場合に対するＣＳＩフィードバックを示す。ここで、ＦＢ１及びＦＢ２のＣＳＩは、個別のＲＩ、ＰＭＩ、及びＣＱＩを含むか、又は１つの共通ＲＩ、共通ＰＭＩ、及び個別のＣＱＩを含む。
【００５５】
同様に、ＦＢ３及びＦＢ４は、Ｃｅｌｌ−２から信号を受信する場合、そしてＣｅｌｌ−１のブランキングが発生する場合及びＣｅｌｌ−１のブランキングが発生しない場合に対するＣＳＩフィードバックを共通で示す。ＦＢ３及びＦＢ４は、個別のＲＩ、個別のＰＭＩ、及び個別のＣＱＩ、又は共通のＲＩ、共通のＰＭＩ、及び個別のＣＱＩを有する。すなわち、ＦＢは、同一の信号成分に対する共通のＲＩ及び共通のＰＭＩと、異なる干渉状況に対する個別のＣＱＩとを有するように構成される。
【００５６】
表１に示すように、ＵＥが様々な信号及び干渉に基づいてフィードバック情報を生成し、このフィードバック情報をＢＳに送信する場合に、タイミング１乃至タイミング４は、下記の表２に示すように、各フィードバック情報の送信タイミングとして割り当てられる。このように、各フィードバック情報は、異なるフィードバック情報の送信タイミング間の衝突を防止するために優先順位が使用される。フィードバック情報の優先順位が使用されるので、フィードバック情報の送信タイミング間の衝突にもかかわらず、優先順位が高いフィードバック情報が送信され、他方、優先順位が低いフィードバック情報は送信されない。
【００５７】
【表２】
0005969037.tif 000003
【００５８】
複数のフィードバック情報の送信タイミング間の衝突を防止するために、フィードバック情報は、様々な方法でフィードバック優先順位がつけられる。フィードバック優先順位をつけるための１つの方法は、ＢＳが各フィードバック情報の優先順位インデックスに従って、対応するフィードバック情報の優先順位をつけるものである。
【００５９】
例えば、表２の最後の列に示されたような優先順位インデックスが複数のＦＢに割り当てられ、優先順位インデックス１を有するＦＢ１と優先順位インデックス３を有するＦＢ２との間で衝突が発生する場合に、ＵＥは、ＦＢ２のＣＳＩフィードバックを送信せずＦＢ１のＣＳＩフィードバックを送信する。
【００６０】
ＢＳは、表２の最後の列に示すようなＲＲＣシグナリングによりフィードバック優先順位インデックスをＵＥに送信するか、又は追加の優先順位インデックスの割り当てなしに、ＦＢ割り当て番号の順序にＦＢの優先順位をつける。すなわち、ＦＢ１がＦＢ２と衝突する場合に、ＦＢ１に対するフィードバックは、所定のタイミングにおける優先順位によって送信され、他方、ＦＢ２に対するフィードバックは送信されない。このような動作を一般化するために、インデックスｍ及びｎ（ここで、ｍ＞ｎ）に対して、ＦＢｍがＦＢｎと衝突する送信タイミングでは、常にＦＢｍに対するフィードバックが実行され、他方、ＦＢｎに対するフィードバックは実行されない。
【００６１】
ＦＢの優先順位をつけるための他の方法は、フィードバック情報を構成する信号成分に対応するＣＳＩ−ＲＳリソースインデックスに基づいてフィードバック優先順位がつけられるものである。すなわち、２つのフィードバック情報の送信タイミング間で衝突が発生する場合に、ＵＥは、ＣＳＩ−ＲＳリソースインデックスが低いフィードバック情報を送信し、他方、ＣＳＩ−ＲＳリソースインデックスが高いフィードバック情報は送信されない。例えば、表２において、Ｃｅｌｌ−１に対するＣＳＩ−ＲＳリソースインデックスが１であり、Ｃｅｌｌ−２に対するＣＳＩ−ＲＳリソースインデックスが２である場合に、Ｃｅｌｌ−１に対するフィードバック情報は、Ｃｅｌｌ−２に対するフィードバック情報より高い優先順位によって送信される。
【００６２】
ＦＢの優先順位をつけるためのもう１つの方法は、フィードバック情報を構成する干渉のタイプに従ってフィードバック情報の優先順位レベルを決定するものである。この干渉のタイプに従ってフィードバック優先順位をつける方法は、表２に示すように、ＩＭＲだけを測定することにより干渉を測定する場合に対するフィードバック情報が“ＩＭＲ＋Ｃｅｌｌ−１”のように干渉を測定するためのリソースが複数である場合に対するフィードバック情報より高いフィードバック優先順位を有するように決定できる。これとは反対に、干渉を測定するためのリソースの個数が多い場合が少ない場合より高いフィードバック優先順位を有するようにする。あるいは、ＢＳが干渉のタイプに基づいて優先順位インデックスを割り当て、割り当てられた優先順位インデックスに基づいてフィードバック優先順位がつけられる。例えば、表２において、ＢＳが、ＩＭＲだけでＵＥが干渉を測定する場合にインデックス１を割り当て、ＵＥがＩＭＲでの干渉とＣｅｌｌ−１との干渉をすべて考慮する場合（ＩＭＲ＋Ｃｅｌｌ−１）にインデックス２を割り当てる場合に、ＵＥは、干渉インデックスに従ってフィードバックの優先順位をつける。
【００６３】
下記の表３は、２つのＩＭＲ｛ＩＭＲ１、ＩＭＲ２｝のセット及び関連する複数のＦＢがＵＥに割り当てられる状況を示す。ここで、ＩＭＲ１及びＩＭＲ２は、異なる干渉状況を反映する干渉測定リソースを示す。干渉タイプに従ってフィードバックの優先順位をつけるもう１つの方法は、表３に示すように、ＢＳが複数のＩＭＲをＵＥに割り当てる場合に、高いＩＭＲインデックスを有するフィードバック情報より低いＩＭＲインデックスを有するフィードバック情報に高い優先順位レベルを与えるものである。例えば、表３において、ＦＢ１がＦＢ２と衝突する送信タイミングで、低いＩＭＲインデックス（すなわち、ＩＭＲ１）を有するＦＢ１のフィードバック情報を送信し、他方、高いＩＭＲインデックス（すなわち、ＩＭＲ２）を有するＦＢ２のフィードバック情報は送信されない。
【００６４】
【表３】
0005969037.tif 000004
【００６５】
フィードバックの優先順位をつける最後の方法は、上述した２種類のフィードバック優先順位付け方法（すなわち、ＣＳＩ−ＲＳリソースインデックスに基づくフィードバック優先順位付け方法及び干渉タイプに従ってフィードバックの優先順位をつける方法）を組み合わせて使用する。２つのフィードバック情報の送信タイミング間で衝突が発生する場合に、低いＣＳＩ−ＲＳリソースインデックスを有するフィードバック情報は、優先順位で送信される。しかしながら、２つのフィードバック情報が同一のＣＳＩ−ＲＳリソースインデックスを有する場合に、これらは、干渉タイプに基づいてフィードバックの優先順位が付けられる。
【００６６】
しかしながら、２つのフィードバック情報の送信タイミング間で衝突が発生する場合に、フィードバック情報に関わる干渉タイプに基づいてフィードバック優先順位がつけられる。しかしながら、２つのフィードバック情報が同一の干渉タイプを有する場合には、低いＣＳＩ−ＲＳリソースインデックスを有するフィードバック情報が、優先順位によって送信される。
【００６７】
前者の方法がＤＢシステムで採用される場合に、ＢＳは、ＵＥが様々な干渉状況で特定のセルからデータを受信する状況に対するフィードバックを優先して受信する。しかしながら、後者の方法がＤＳシステムで採用される場合に、ＢＳは、ＵＥが同一の干渉状況で相互に異なるセルからデータを受信する状況に対するフィードバックを優先して受信する。
【００６８】
幾つかのフィードバック情報の送信タイミング間の衝突が発生する場合におけるフィードバックの優先順位付け方法において、同一のフィードバック優先順位を有するフィードバック情報が衝突する送信タイミングにおいて、ＲＩ送信は、ｗＣＱＩ又はｗＣＱＩ／ＰＭＩ送信より優先し、ｗＣＱＩ又はｗＣＱＩ／ＰＭＩは、ｓＣＱＩ送信より優先するようにフィードバック優先順位をつけることができる。
【００６９】
しかしながら、高い優先順位レベルがｗＣＱＩ又はｗＣＱＩ／ＰＭＩ送信よりＲＩ送信に与えられ、高い優先順位レベルがｓＣＱＩ送信よりｗＣＱＩ又はｗＣＱＩ／ＰＭＩ送信に与えられる方式で、同一のタイプのフィードバック情報が衝突する送信タイミングのみで上述したフィードバック優先順位付け方法が使用される。
【００７０】
ＵＥに割り当てられる測定セットに関するＣＳＩフィードバックを送信する他の方法は、測定セットを１つ以上のサブセットに分割し、サブセット別にＣＳＩフィードバックモード及びタイミングを設定してＣＳＩフィードバックを実行するものである。サブセット別にＣＳＩフィードバックを送信する方法において、ＵＥが選好するセルインデックス（preferred cell index、ＰＩ）は、サブセット別に含まれ、そのＰＩに対応するセルに対するフィードバックだけが送信される。第２、第３、及び第４の実施形態に従うＰＩを含むフィードバック方法については、ＤＳ、ＤＳ／ＤＢ、及びＪＴと関連して説明される。
【００７１】
［第２の実施形態］
本発明の第２の実施形態は、ＤＳ方式を使用するセルラー移動通信システムにおいて、ＣｏＭＰ  ＵＥが割り当てられたフィードバックモード及び割り当てられたタイミングでフィードバックを送信する方法を提供する。
【００７２】
第２の実施形態において、ＢＳは、測定セット及びこの測定セットの複数のサブセットをＵＥに通知し、各サブセットに対するフィードバックモード及びタイミングをＵＥに割り当てる。例えば、測定セットが｛Ｃｅｌｌ−１、Ｃｅｌｌ−２、Ｃｅｌｌ−３、Ｃｅｌｌ−４｝であり、ＢＳが割り当てられた測定セットのセルの中でＵＥが選好する２つのセルに対するＣＳＩの受信を希望すると仮定すると、ＢＳは、２つのフィードバックモード及びタイミングをＵＥに割り当て、各フィードバックモード及びタイミングに対応するサブセットをＵＥに通知する。この例において、２つのフィードバックモード、タイミング、及びフィードバックモード及びタイミングに対応するサブセットが次のように設定される。
【００７３】
［例２］
■  フィードバック割り当て１：（モードＡ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＡ、Ｎｐｄ＝１０、ＭＲＩ＝２、ＭＰＩ＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
【００７４】
例２において、モードＡは、ＵＥから送信されたフィードバック情報が従来のＲＩ、ＰＭＩ、及びＣＱＩ情報に加えてＰＩを含むことを示す。ＭＰＩ及びＮＯＦＦＳＥＴ，ＰＩは、ＰＩのフィードバック期間及びオフセットをそれぞれ示すパラメータであり、これは、次のように定義されることができる。
■  ＰＩ期間＝ＲＩ＿ｐｅｒｉｏｄ×ＭＰＩ
■  ＰＩオフセット＝ＲＩ＿ｏｆｆｓｅｔ＋ＮＯＦＦＳＥＴ，ＰＩ
【００７５】
ここで、ＮＯＦＦＳＥＴ，ＰＩは、０から−Ｎｐｄ＋１までの整数である。代わりに又は追加で、ＰＩは、ＰＩの期間及びオフセットを個別に定義する必要なしにＲＩとともに符号化され、ＢＳに送信される。
【００７６】
ＰＩのフィードバックタイミングを定義するまた１つの方法は、ＲＩのタイミングに独立してＰＩの期間をｗＣＱＩ期間の倍数に設定し、追加のオフセットを適用するものである。すなわち、ＰＩの期間及びオフセットは、次のように定義される。
■  ＰＩの期間＝ｗＣＱＩ＿ｐｅｒｉｏｄ×ＭＰＩ
■  ＰＩオフセット＝ｗＣＱＩ＿ｏｆｆｓｅｔ＋ＮＯＦＦＳＥＴ，ＰＩ
【００７７】
上記の場合において、ＰＩの期間及びオフセットは、例２において、Ｎｐｄ・ＭＰＩ及びＮＯＦＦＳＥＴ，ＣＱＩ＋ＮＯＦＦＳＥＴ，ＰＩにそれぞれ設定される。ｓＣＱＩが定義される従来のモード２−０にＰＩが付加される場合に、ＰＩの期間及びオフセットは、Ｎｐｄ・Ｈ・ＭＰＩ及びＮＯＦＦＳＥＴ，ＣＱＩ＋ＮＯＦＦＳＥＴ，ＰＩにそれぞれ設定される。ＰＩの期間がｗＣＱＩの期間の倍数に設定される場合に、ＰＩの送信の後にＲＩが送信されず、ＣＱＩ／ＰＭＩがＰＩの直後に送信され、最も最近のＲＩ及びＰＩに関連したＣＱＩ／ＰＭＩ又は固定されたＲＩを仮定するＣＱＩ／ＰＭＩがフィードバックされる。固定されたＲＩは、ランク１の場合であり、これは、使用可能なＲＩがセル別に異なる場合に正常の動作を保証する長所を提供する。すなわち、１番目のセルがランク４までサポートし、２番目のセルがランク２だけサポートする場合に、１番目のセルに対するＲＩフィードバックは、２番目のセルに適用されない。ＰＩの送信の後にＲＩが送信されず、ＣＱＩ／ＰＭＩがＰＩの直後に送信される場合に、最も最近のＲＩフィードバックに対するランクと新たなＰＩに関連したセルで使用可能な最大ランク間の最小値は、ＣＱＩ／ＰＭＩを生成するにあたりにＲＩに対する他の仮定である。新たなＰＩに関連したセルで使用可能な最大ランクは、ＣＳＩ−ＲＳアンテナポート設定に基づいているか、あるいはＢＳが任意に設定した最大ランクになる。上述したＰＩの送信の直後にＲＩが送信されず、ＣＱＩ／ＰＭＩが送信される状況で、ＣＱＩ／ＰＭＩを生成する時のＲＩに対する次の３つの仮定を要約することができる。
■  最も最近のフィードバックＲＩ値
■  固定されたＲＩ値（ランクが１に設定される）
■  最近にフィードバックされたＲＩ値と新たなＰＩに対する最大ランク値との間の最小値
【００７８】
例２のフィードバック割り当て２において、フィードバック割り当て１で選択されたＰＩが割り当てられたサブセットから除外された後にＰＩを選択するように制約する。ＵＥは、ＰＩにより示されるセルでのＣＳＩ−ＲＳアンテナポートの本数に従って異なる情報をフィードバックする。例えば、Ｃｅｌｌ−１が８本のアンテナポートを有し、残りのセルのそれぞれは、４本以下のアンテナポートを有し、ＰＩがＣｅｌｌ−１を示す場合に、フィードバック情報は、８本のアンテナに対応するＲＩ及びＣＱＩに加えて２種類のＰＭＩ又はＰＴＩを含む。しかしながら、ＰＩがＣｅｌｌ−２を示す場合に、フィードバック情報は、ＲＩ、ＣＱＩ、及び１種類のＰＭＩだけを含まなければならない。ＰＩは、１つ又はそれ以上のビットを構成する。表４は、２ビットのＰＩで示されるセルのインデックスの例を示す。
【００７９】
【表４】
0005969037.tif 000005
【００８０】
他の例において、測定セットが｛Ｃｅｌｌ−１、Ｃｅｌｌ−２、Ｃｅｌｌ−３、Ｃｅｌｌ−４｝であり、ＢＳがＣｅｌｌ−１とＣｅｌｌ−２間で選好する１つのセルに関する情報及びＣｅｌｌ−３とＣｅｌｌ−４間で選好する１つのセルに関する情報を取得することを希望する場合に、ＢＳは、次のようなフィードバックを割り当てる。
【００８１】
［例３］
■  フィードバック割り当て１：（モードＡ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２｝）
■  フィードバック割り当て２：（モードＡ、Ｎｐｄ＝１０、ＭＲＩ＝２、ＭＰＩ＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−３、Ｃｅｌｌ−４｝）
【００８２】
例２と同様に、例３において、ＰＩは、独立したフィードバックタイミングを有し、ＲＩとともに符号化される。各フィードバックに対応するセルのセットは、測定セットと独立してフィードバック割り当てとともにＵＥに送信されるか、又は測定セットのビットマップ情報としてＵＥに送信される。例３に対してビットマップを使用する場合に、ＢＳは、フィードバック割り当て１に対しては、測定セットに関するビットマップシーケンス［１、１、０、０］を送信し、フィードバック割り当て２に対しては、測定セットに関するビットマップシーケンス［０、０、１、１］を送信する。図９は、例３及び例４における、２つのフィードバック割り当てに関するＵＥのフィードバック送信タイミング及びフィードバック情報を示す。例３及び例４は、従来のモード１−１において、ＣＳＩ−ＲＳアンテナポートが４本以下である場合を拡張した方式である。モード２−１が拡張される場合に、ＢＳは、Ｋ値を追加でＵＥに送信する。同様に、ＰＩの期間もＲＩ期間のＭＰＩ倍に設定され、ＰＩのオフセットは、ＲＩオフセットとＮＯＦＦＳＥＴ，ＰＩとの和に設定される。あるいは、ＰＩは、ＰＩタイミングを追加で定義することなく、ＲＩとともに符号化される。追加で、ＰＩの期間及びオフセットは、ＷＣＱＩ期間のＭＰＩ倍及びｗＣＱＩオフセットとＮＯＦＦＳＥＴ,ＰＩとの和にそれぞれ設定される。２種類のＰＭＩ及び２種類のＰＴＩを追加で含む８本のＣＳＩ−ＲＳアンテナポートに対するフィードバックモードにおいて、ＵＥは、例２、例３と同一の方法で従来のフィードバック構造でＰＩを追加してフィードバックする。
【００８３】
他の例において、測定セットが｛Ｃｅｌｌ−１、Ｃｅｌｌ−２、Ｃｅｌｌ−３、Ｃｅｌｌ−４｝であり、ＢＳが常にＣｅｌｌ−１に関するチャネル情報及びＣｅｌｌ−２、Ｃｅｌｌ−３、及びＣｅｌｌ−４の中からＵＥが選好する１つのセルに関する情報の取得を希望する場合には、ＢＳは、次のようなフィードバックを割り当てる。
【００８４】
［例４］
■  フィードバック割り当て１：（モード１−１、Ｎｐｄ＝１０、ＭＲＩ＝２、ＮＯＦＦＳＥＴ，ＣＱＩ＝０、ＮＯＦＦＳＥＴ，ＲＩ＝−１、｛Ｃｅｌｌ−１｝）
■  フィードバック割り当て２：（モードＡ、Ｎｐｄ＝１０、ＭＲＩ＝２、ＮＯＦＦＳＥＴ，ＣＱＩ＝３、ＮＯＦＦＳＥＴ，ＲＩ＝−１、｛Ｃｅｌｌ−２、Ｃｅｌｌ−３、Ｃｅｌｌ−４｝）
【００８５】
例４において、フィードバック割り当て１において対応するセルセットが１つのエレメントを含むので、ＰＩ期間を定義する必要がない。このように、フィードバック割り当てに対するセルセットが１つのエレメントだけを含む場合に、ＰＩ期間が定義されないか、又はＰＩ期間が定義されるとしても、ＰＩは、フィードバックされない。
【００８６】
一方、本発明の第２の実施形態に従って、ＵＥが異なる送信タイミングで複数のセルに関するチャネル情報をフィードバックするので、チャネル情報の送信タイミング間で衝突が発生する。この場合に、より高い優先順位を有するフィードバック割り当てに対するフィードバックは、常に優先して送信される。すなわち、ＲＩ、ＰＭＩ、及びＣＱＩの中の１つの情報がもう１つの情報と衝突する場合に、高い優先順位のフィードバック割り当てに関する情報が優先してフィードバックされる。このような方法は、セル間の衝突にもかかわらず、ＵＥがマルチフィードバック衝突による性能の低下なしに、少なくとも１つのセルからデータを受信できるようにする。ＢＳがフィードバック割り当てとともに優先順位情報をＵＥにシグナリングし、ＵＥがその優先順位情報に従ってフィードバック優先順位レベルを決定することにより、セルの優先順位がつけられる。あるいは、セルの優先順位レベルは、フィードバック割り当てのインデックスに基づいて決定される。あるいは、最も短いフィードバック期間を有するフィードバック割り当てに高い優先順位レベルが割り当てられる。
【００８７】
また、ＰＩがタイミング衝突により送信されることができない場合に、以後のＲＩ、ＰＭＩ、及びＣＱＩは、予め定められたＰＩ値に基づいてフィードバックされる。このＰＩ値は、上位レイヤーシグナリングによりＵＥに示されるか、又はフィードバック割り当てにおいてセルセット内の最小のインデックスを有するセルに対するフィードバックであると決定される。また、ＲＩが送信されることができない場合に、ＰＭＩ及びＣＱＩは、ｎｏｎ−ＰＩ送信と同一の仮定のもとに計算される。結果的に、本発明の第２の実施形態では、本発明の第１の実施形態に従うフィードバック優先順位付け方法は、本発明の第２の実施形態において類似した方法で実行される。
【００８８】
［第３の実施形態］
本発明の第３の実施形態は、ＤＳ／ＤＢ方式を使用するセルラー移動通信システムにおけるＣｏＭＰ  ＵＥで割り当てられたフィードバックモード及び割り当てられたタイミングでフィードバックを送信する方法を提供する。
【００８９】
ＤＳ／ＤＢ方式を実現するために、ＵＥは、干渉セル（Ｉ−ｃｅｌｌ）がオフ状態である場合のチャネル情報及びＩ−ｃｅｌｌがオン状態である場合のチャネル情報のすべてをＢＳにフィードバックする。このような２種類のフィードバックは、独立して実行される。しかしながら、ＵＥと特定のセル間の空間的な情報を示すＲＩ及びＰＭＩが、干渉セルがオフ状態である場合及びオン状態である場合において大きく変わらないので、ＲＩ及びＰＭＩは、２種類の場合において同一の値に設定され、ＣＱＩ値は、２種類の場合において異なる値に設定される。
【００９０】
例えば、Ｉ−ｃｅｌｌがオン状態である場合のフィードバック情報が基準フィードバック（primary feedback又はreference feedback）に設定された後に、Ｉ−ｃｅｌｌがオン状態である場合のＲＩ及びＰＭＩが基準フィードバックのＲＩ及びＰＭＩに設定される。ＵＥは、この設定されたＲＩ及びＰＭＩの中の少なくとも１つに基づいてＩ−ｃｅｌｌがオフ状態である場合のＣＱＩを計算することにより、Ｉ−ｃｅｌｌがオン状態である場合のＣＱＩとは個別にＣＱＩを設定する。上記の通りに、干渉セルがオフ状態である場合及びオン状態である場合において、同一のＲＩ及びＰＭＩが設定されることにより、干渉セルがオフ状態である場合のチャネル情報は、ＣＱＩだけを含むことができる。
【００９１】
２種類の方法において、ＵＥは、Ｉ−ｃｅｌｌがオフ状態である場合及びＩ−ｃｅｌｌがオン状態である場合のチャネル情報を取得する。チャネル情報取得方法の内の１つは、ＢＳが測定セットとともにＩ−ｃｅｌｌのインデックスをＵＥに通知するものである。例えば、ＢＳが｛Ｃｅｌｌ−１、Ｃｅｌｌ−２、Ｃｅｌｌ−３｝を測定セットとして示し、Ｃｅｌｌ−１をＩ−ｃｅｌｌとして示す場合に、ＵＥは、Ｃｅｌｌ−１についてＩ−ｃｅｌｌがオフ状態である場合のみに対してチャネル情報をフィードバックしさえずればよい。さらに、ＵＥは、Ｃｅｌｌ−２及びＣｅｌｌ−３について、Ｃｅｌｌ−１がオフ状態である場合とオン状態である場合のすべてに対してチャネル情報をフィードバックすべきである。また、Ｃｅｌｌ−２及びＣｅｌｌ−３について、共通のＲＩ及びＰＭＩ、２つの異なるＣＱＩは、Ｃｅｌｌ−１がオン状態である場合とＣｅｌｌ−１がオフ状態である場合のすべてに対してフィードバックされる。Ｉ−ｃｅｌｌがオン状態である場合のＣＱＩをＤＳ−ＣＱＩと呼び、Ｉ−ｃｅｌｌがオフ状態である場合のＣＱＩをＤＢ−ＣＱＩと呼ぶ。ＤＳ−ＣＱＩ及びＤＢ−ＣＱＩは、同一のタイミング又は異なるタイミングでフィードバックされる。前者の場合において、ＤＢ−ＣＱＩは、個別の値としてフィードバックされ、ＤＳ−ＣＱＩに対する差の値であるｄｅｌｔａ＿ＤＢ−ＣＱＩがフィードバックされる。ＲＩが１である場合には、１個の符号語に対するＣＱＩだけがフィードバックされる。この場合に、ｄｅｌｔａ＿ＤＢ−ＣＱＩは、単純に（ＤＢ−ＣＱＩ−ＤＳ−ＣＱＩ）として定義される。しかしながら、ＲＩが２以上である場合には、２つの符号語に対するＣＱＩがフィードバックされなければならない。従来のＬＴＥ−アドバンスド技術において、２番目の符号語に対するＣＱＩは、１番目の符号語に対するＣＱＩとの差としてフィードバックされる。すなわち、１番目の符号語に対するＤＳ−ＣＱＩをＤＳ−ＣＱＩ＿ＣＷ１と呼び、２番目の符号語に対するＤＳ−ＣＱＩをＤＳ−ＣＱＩ＿ＣＷ２と呼ぶ場合に、従来では、ＤＳ−ＣＱＩ＿ＣＷ１及びｄｅｌｔａ＿ＤＳ−ＣＱＩ＿ＣＷ２がフィードバックされる。このとき、ｄｅｌｔａ＿ＤＳ−ＣＱＩ＿ＣＷ２＝ＤＳ−ＣＱＩ＿ＣＷ２−ＤＳ−ＣＱＩ＿ＣＷ１である。このように、２つの符号語に対するＣＱＩが必要とされ、１番目及び２番目の符号語に対するＤＢ−ＣＱＩがそれぞれＤＢ−ＣＱＩ＿ＣＷ１及びＤＢ−ＣＱＩ＿ＣＷ２である場合に、共通のｄｅｌｔａ＿ＤＢ−ＣＱＩが、２つの符号語に対して送信され、次のように使用される。
■  ＤＢ−ＣＱＩ＿ＣＷ１＝ＤＳ−ＣＱＩ＿ＣＷ１＋ｄｅｌｔａ＿ＤＢ−ＣＱＩ
■  ＤＢ−ＣＱＩ＿ＣＷ２＝ＤＳ−ＣＱＩ＿ＣＷ２＋ｄｅｌｔａ＿ＤＢ−ＣＱＩ
【００９２】
２つの符号語に対して、ｄｅｌｔａ＿ＤＢ−ＣＱＩ＿ＣＷ１及びｄｅｌｔａ＿ＤＢ−ＣＱＩ＿ＣＷ２がそれぞれフィードバックされ、次のように使用される。
■  ＤＢ−ＣＱＩ＿ＣＷ１＝ＤＳ−ＣＱＩ＿ＣＷ１＋ｄｅｌｔａ＿ＤＢ−ＣＱＩ＿ＣＷ１
■  ＤＢ−ＣＱＩ＿ＣＷ２＝ＤＳ−ＣＱＩ＿ＣＷ２＋ｄｅｌｔａ＿ＤＢ−ＣＱＩ＿ＣＷ２
【００９３】
本発明の第３の実施形態において、本発明の第２の実施形態と同様に、ＢＳは、測定セット及びこの測定セットの複数のサブセットをＵＥに通知し、各サブセットに対するフィードバックモード及びタイミングをＵＥに割り当てる。しかしながら、本発明の第３の実施形態は、ＤＢ−ＣＱＩ又はｄｅｌｔａ＿ＤＢ−ＣＱＩが各フィードバック情報に含まれるという点で第２の実施形態とは異なる。例えば、測定セットが｛Ｃｅｌｌ−１、Ｃｅｌｌ−２、Ｃｅｌｌ−３、Ｃｅｌｌ−４｝であり、Ｉ−ｃｅｌｌがＣｅｌｌ−１であり、ＢＳが測定セットから選択されたＵＥが選好する２つのセルに関するチャネル情報の受信及び同一のタイミングでのｄｅｌｔａ＿ＤＢ−ＣＱＩ及びＤＳ−ＣＱＩの受信を希望する場合に、ＢＳは、２つのフィードバックモード及びタイミングをＵＥに割り当て、フィードバックモード及びタイミングに対応する測定セットのサブセットをＵＥに通知する。上記の例において、２つのフィードバックモード、タイミング、及び対応するサブセットを次のように設定する。
【００９４】
［例５］
■  フィードバック割り当て１：（モードＢ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＢ、Ｎｐｄ＝１０、ＭＲＩ＝２、ＭＰＩ＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
【００９５】
例５において、モードＢは、例２のモードＡとは異なり、ＵＥから送信されるフィードバック情報が既存のＲＩ、ＰＭＩ、ＣＱＩ、及びＰＩに加えてｄｅｌｔａ＿ＤＢ−ＣＱＩを含むことを通知する。この場合に、ｄｅｌｔａ＿ＤＢ−ＣＱＩは、ＤＳ−ＣＱＩとともに符号化され、同一のタイミングでフィードバックされる。すなわち、ＤＳ−ＣＱＩ及びｄｅｌｔａ＿ＤＢ−ＣＱＩの送信期間及びオフセットは、それぞれＮｐｄ及びＮＯＦＦＳＥＴ，ＰＩに設定される。ＰＩがＩ−ｃｅｌｌを示す場合には、ＤＢ−ＣＱＩが必要でない。したがって、ｄｅｌｔａ＿ＤＢ−ＣＱＩが０に設定されるか又は送信されず、ＤＳ−ＣＱＩだけが送信される。図１０は、フィードバック割り当て１においてＰＩがＩ−ｃｅｌｌを示し、フィードバック割り当て２においてＰＩがＩ−ｃｅｌｌでない他のセルを示す場合の、２つのフィードバック割り当てにおけるＵＥのフィードバック送信タイミング及びフィードバック情報を示す。例５は、従来のモード１−１の拡張である。モード２−１が拡張される場合に、ＢＳは、Ｋ値をＵＥに追加で送信する。同様に、ＰＩの期間は、ＲＩ期間のＭＰＩ倍に設定され、ＰＩのオフセットは、ＲＩオフセットとＮＯＦＦＳＥＴ，ＰＩとの和に設定される。あるいは、ＰＩは、追加のＰＩタイミングを定義せず、ＲＩとともに符号化され送信される。また、ｗＣＱＩに対するＰＩの期間及びオフセットは、ｗＣＱＩの期間のＭＰＩ倍及びｗＣＱＩのオフセットとＮＯＦＦＳＥＴ，ＰＩとの和としてそれぞれ定義される。また、モード２−１が拡張される場合に、ｄｅｌｔａ＿ＤＢ−ＣＱＩは、ｗＣＱＩ及びｓＣＱＩのそれぞれに対して定義され、ＤＳ−ＣＱＩとともに送信されるか、又はｄｅｌｔａ＿ＤＢ−ＣＱＩは、ｗＣＱＩ及びｓＣＱＩの中の１つに対して定義され、与えられたタイミングでＤＳ−ＣＱＩとともに送信される。２種類のＰＭＩ情報及び２種類のＰＴＩを追加で含む８本のＣＳＩ−ＲＳアンテナポートに対するフィードバックモードにおいて、ＵＥは、例５におけるような同一の方法で従来のフィードバック構造でＰＩ及びｄｅｌｔａ＿ＤＢ−ＣＱＩを追加でフィードバックする。
【００９６】
他の例において、測定セットが｛Ｃｅｌｌ−１、Ｃｅｌｌ−２、Ｃｅｌｌ−３、Ｃｅｌｌ−４｝であり、Ｉ−ｃｅｌｌがＣｅｌｌ−１であり、ＢＳが測定セットから選択されたＵＥが選好する２個のセルに関するチャネル情報の受信及び異なるタイミングでＤＢ−ＣＱＩ及びＤＳ−ＣＱＩの受信を希望する場合に、ＢＳは、２つのフィードバックモード、ＤＢ−ＣＱＩの送信タイミングに関するタイミング情報、及びフィードバックモード及びタイミングに対する測定セットのサブセットを次のように構成する。
【００９７】
［例６］
■  フィードバック割り当て１：（モードＣ、Ｎｐｄ＝１０、ＭＲＩ＝２、ＭＰＩ＝２、Ｈ’’＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＣ、Ｎｐｄ＝１０、ＭＲＩ＝２、ＭＰＩ＝２、Ｈ’’＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
【００９８】
例６において、モードＣは、例５のモードＢに比べて、ＤＢ−ＣＱＩの期間を示すパラメータＨ’’を含む。この場合に、ＤＢ−ＣＱＩ送信期間及びオフセットは、それぞれＨ’’・Ｎｐｄ及びＮＯＦＦＳＥＴ，ＣＱＩに設定される。すなわち、ＤＳ−ＣＱＩがＮｐｄの期間で送信される状況において、ＤＢ−ＣＱＩは、Ｈ’’回ごとに送信される。ＤＢ−ＣＱＩの代わりに、ｄｅｌｔａ＿ＤＢ−ＣＱＩが送信される。さらに、例６において、ＰＩがＩ−ｃｅｌｌを示す場合に、ＤＢ−ＣＱＩが必要とされないので、ＤＳ−ＣＱＩのみが送信される。図１１は、フィードバック割り当て１においてＰＩがＩ−ｃｅｌｌを示し、フィードバック割り当て２においてＰＩがＩ−ｃｅｌｌでない他のセルを示す場合の、２つのフィードバック割り当てにおけるＵＥのフィードバック送信タイミング及びフィードバック情報を示す。例６は、従来のモード１−１の拡張である。モード２−１が拡張される場合に、ＢＳは、Ｋ値をＵＥに追加で送信する。同様に、ＰＩの期間は、ＲＩ期間のＭＰＩ倍に設定され、ＰＩのオフセットは、ＲＩオフセットとＮＯＦＦＳＥＴ，ＰＩとの和に設定される。あるいは、ＰＩは、追加のＰＩタイミングを定義せず、ＲＩとともに符号化され送信される。また、ｗＣＱＩに対するＰＩの期間及びオフセットは、ｗＣＱＩの期間のＭＰＩ倍及びｗＣＱＩのオフセットとＮＯＦＦＳＥＴ，ＰＩとの和としてそれぞれ定義される。また、モード２−１が拡張される場合に、ＤＢ−ＣＱＩは、ｗＣＱＩ及びｓＣＱＩのそれぞれに対して定義され、ＤＳ−ＣＱＩとともに送信されるか、又はＤＢ−ＣＱＩは、ｗＣＱＩ及びｓＣＱＩの中の１つに対して定義され、与えられたタイミングでＤＳ−ＣＱＩとともに送信される。この場合に、ｓＣＱＩに対するＤＢ−ＣＱＩであるＤＢ−ｓＣＱＩの送信タイミングは、（Ｈ−１）回のＤＢ−ｓＣＱＩがｗＣＱＩに対するＤＢ−ＣＱＩであるＤＢ−ｗＣＱＩの送信期間Ｈ’’・Ｎｐｄ及びオフセットＮＯＦＦＳＥＴ，ＣＱＩのタイミングの後にＮｐｄ個のサブフレームの間隔で送信されるように設定される。
【００９９】
例７は、モード２−１を拡張することによりＤＢ−ＣＱＩが送信される場合に使用可能なフィードバック割り当ての例を示す。図１２は、フィードバック割り当て１においてＰＩがＩ−ｃｅｌｌを示し、フィードバック割り当て２においてＰＩがＩ−ｃｅｌｌでない他のセルを示す場合の、２つのフィードバック割り当てにおけるＵＥのフィードバック送信タイミング及びフィードバック情報を示す。
【０１００】
［例７］
■  フィードバック割り当て１：（モードＤ、Ｎｐｄ＝５、ＭＲＩ＝２、ＭＰＩ＝２、Ｊ＝３（１０ＭＨｚ）、Ｋ＝１、Ｈ’’＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＤ、Ｎｐｄ＝５、ＭＲＩ＝２、ＭＰＩ＝２、Ｊ＝３（１０ＭＨｚ）、Ｋ＝１、Ｈ’’＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
【０１０１】
例７において、モードＤは、ＤＢ−ＣＱＩの追加の送信を要求する従来のモード２−１の拡張である新たなフィードバックモードである。２種類のＰＭＩ情報及び２種類のＰＴＩを追加で含む８本のＣＳＩ−ＲＳアンテナポートに対するフィードバックモードにおいて、ＵＥは、例７におけるような同一の方法で従来のフィードバック構造でＰＩ及びＤＢ−ＣＱＩを追加でフィードバックする。
【０１０２】
ＵＥでＩ−ｃｅｌｌがオン状態である場合及びＩ−ｃｅｌｌがオフ状態である場合におけるＣＳＩ、すなわち、ＤＢ−ＣＱＩ及びＤＳ−ＣＱＩを取得する他の方法は、ＢＳが測定セットだけではなく、各セルに対するＩＭＲをＵＥに通知するものである。すなわち、ＢＳが測定セットの各セルに関して信号測定のためのＣＳＩ−ＲＳリソース、Ｉ−ｃｅｌｌがオン状態である場合のＩＭＲ、及びＩ−ｃｅｌｌがオフ状態である場合のＩＭＲをＵＥにシグナリングする場合に、ＵＥは、このリソースから取得したチャネル情報に基づいて対応するセルに対するＤＢ−ＣＱＩ及びＤＳ−ＣＱＩのすべてを取得する。１つだけのＩＭＲが認識されるセルに対して、ＵＥは、ＤＳ−ＣＱＩを計算しさえすればよい。
【０１０３】
例えば、ＢＳが｛Ｃｅｌｌ−１、Ｃｅｌｌ−２、Ｃｅｌｌ−３｝を測定セットとして割り当て、Ｃｅｌｌ−１に対しては、１個のＩＭＲを、Ｃｅｌｌ−２及びＣｅｌｌ−３のそれぞれに対しては、２つのＩＭＲをＵＥに通知する場合に、ＵＥは、Ｃｅｌｌ−１に対しては１つのチャネル情報だけをフィードバックし、Ｃｅｌｌ−２及びＣｅｌｌ−３のそれぞれに対しては２つの場合に対するチャネル情報をフィードバックする。ここで、Ｃｅｌｌ−２及びＣｅｌｌ−３のそれぞれに対して、２つのＩＭＲに関するチャネル情報に含まれるＲＩ及びＰＭＩは、同一の値に設定される。この設定されたＲＩ及びＰＭＩの中の少なくとも１つに基づいて、２種類の場合に対して異なるＣＱＩが生成される。この場合に、２つのＣＱＩの中でさらに小さい値がＤＳ−ＣＱＩとして設定され、２つのＣＱＩの中でさらに大きい値がＤＢ−ＣＱＩとして設定される場合に、ＤＳ−ＣＱＩ及びＤＢ−ＣＱＩは、特定のフィードバックモード及び特定のタイミングでＢＳにフィードバックされる。このフィードバックモード及びタイミングは、例５、例６、及び例７で説明した方法で設定される。
【０１０４】
ＵＥは、Ｃｅｌｌ−２及びＣｅｌｌ−３の各々に対して生成される２つのチャネル情報を基本（Primary）ＣＳＩ及び付加（Secondary）ＣＳＩに分類される。例えば、ＵＥは、２つのＣＱＩの中でさらに小さい値を含むチャネル情報を基本ＣＳＩとして設定し、他のチャネル情報を付加ＣＳＩとして設定する。付加ＣＳＩに含まれるＲＩ及びＰＭＩは、基本ＣＳＩに含まれるＲＩ及びＰＭＩと同一の値に設定され、付加ＣＳＩに対するＣＱＩは、設定されたＲＩ及びＰＭＩの中の少なくとも１つに基づいてフィードバックされるように計算される。このように、付加ＣＳＩのＲＩ及びＰＭＩが基準ＣＳＩのＲＩ及びＰＭＩに基づいて設定されるので、基準ＣＳＩは、付加ＣＳＩの参照（Reference）ＣＳＩとして使用される。
【０１０５】
［第４の実施形態］
本発明の第４の実施形態は、ＪＴ方式を使用するセルラー移動通信システムにおいて、ＣｏＭＰ  ＵＥが割り当てられたフィードバックモード及び割り当てられたタイミングでフィードバックを送信する方法を提供する。
【０１０６】
ＪＴ方式を実現するために、ＵＥは、測定セットの各セルに対するチャネル情報だけでなく、測定セットの幾つかのセルが同時にデータを送信する場合に対するチャネル情報をＢＳにフィードバックする必要がある。各セルに対するチャネル情報の他に、セル間の協調に従うＲＩ、ＰＭＩ、ｗＣＱＩ、及びｓＣＱＩをそれぞれＪＴ＿ＲＩ、ＪＴ＿ＰＭＩ、ＪＴ＿ｗＣＱＩ、ＪＴ＿ｓＣＱＩと呼ぶ。ＵＥは、協調のための情報をすべて又は一部をＢＳにフィードバックする。特に、ＪＴ＿ＲＩは、ＢＳが各セルに対するチャネル情報に基づいてＪＴ＿ＲＩを推定できるために、フィードバック情報に含まれない。追加で、ＪＴ＿ＰＭＩは、ＪＴのための別途のＰＭＩでなく、協調を考慮するセル間の位相差情報だけを含むように構成される。ＪＴ＿ｗＣＱＩ及びＪＴ＿ｓＣＱＩが一般的にＪＴ＿ＣＱＩと呼ばれる場合に、この値は、協調状況で必要とされるＣＱＩ又は協調を考慮する場合と協調を考慮しない場合との間のＣＱＩ差である。ＪＴ＿ＣＱＩがＣＱＩ差として定義される場合には、本発明の第３の実施形態で定義されたｄｅｌｔａ＿ＤＢ−ＣＱＩのように、２つの符号語に対して共通で又は個別に定義される。
【０１０７】
協調送信のためのチャネル情報は、ＤＢ−ＣＱＩのように、同一のタイミングで測定セット内のセルのための個別フィードバックとともに符号化され送信されるか、又はセルのための個別のフィードバックとは異なるフィードバックモード及び異なるタイミングでフィードバックされる。まず、測定セット内のセルのための個別フィードバックともに協調送信のための情報を送信する場合について説明する。この場合には、ＪＴ＿ＲＩが送信されず、ＪＴ＿ＣＱＩ及びＪＴ＿ＰＭＩがすべて送信されるか、又はＪＴ＿ＣＱＩ及びＪＴ＿ＰＭＩの中の１つだけが送信される。
【０１０８】
本発明の第４の実施形態に従って、ＪＴのためのフィードバック（以下、ＪＴフィードバック）が個別のセルに対するＤＳ−ＣＱＩと同一のタイミングで送信される場合に、ＢＳは、第３の実施形態と同様に、測定セット及び測定セットの複数のサブセットをＵＥに通知し、各サブセットに対するフィードバックモード及びタイミングを割り当てる。本発明の第４の実施形態では、ＤＢ−ＣＱＩの代わりに、ＪＴ−ＣＱＩ／ＪＴ−ＰＭＩが各フィードバック情報に含まれるという点で第３の実施形態と差がある。例えば、測定セットが｛Ｃｅｌｌ−１、Ｃｅｌｌ−２、Ｃｅｌｌ−３、Ｃｅｌｌ−４｝であり、ＢＳが測定セットから選択されたＵＥが選好する２つのセルに関するチャネル情報及びそのセル間の協調に基づくＪＴフィードバックを必要とする場合に、ＢＳは、２つのフィードバックモード及びタイミングをＵＥに割り当て、フィードバックモード及びタイミングに対応する測定セットのサブセットをＵＥに通知する。上記の例において、２つのフィードバックモード、タイミング、及び対応するサブセットを次のように設定する。
【０１０９】
［例８］
■  フィードバック割り当て１：（モードＡ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＥ、Ｎｐｄ＝１０、ＭＲＩ＝２、ＭＰＩ＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝、フィードバック割り当て１）
【０１１０】
例８において、モードＡは、例２で定義したモードＡと一致し、ＵＥが既存のＲＩ、ＰＭＩ、ＣＱＩ、及びＰＩをフィードバックする必要があることを意味する。モードＥは、モードＡでＪＴフィードバックの追加の送信を示すモードである。モードＥにおいて、ＵＥは、ともに送信されるフィードバック割り当て１で選択されたＰＩに対応するセルとフィードバック割り当て２で選択されたセル間の協調に基づくＪＴフィードバックをＣＱＩ送信タイミングでＢＳにフィードバックする。したがって、モードＥがフィードバックモードとして示される場合には、協調を考慮するフィードバック割り当てのインデックスがＵＥに通知され、このフィードバック割り当てインデックスは、ＢＳにより上位レイヤーシグナリングを通してＵＥに直接にシグナリングされるか、又はフィードバック割り当て１にあらかじめ設定される。この場合に、ＪＴ＿ＣＱＩ／ＪＴ−ＰＭＩは、Ｎｐｄの送信期間及びＮＯＦＦＳＥＴ，ＣＱＩのオフセットでＤＳ−ＣＱＩとともにフィードバックされる。
【０１１１】
図１３は、例８に関する２つのフィードバック割り当てにおけるＵＥのフィードバック送信タイミング及びフィードバック情報を示す。例８は、従来のモード１−１の拡張である。モード２−１が拡張される場合に、ＢＳは、Ｋ値をＵＥに追加で送信する。この場合にも、ＰＩの期間は、ＲＩ期間のＭＰＩ倍に設定され、ＰＩのオフセットは、ＲＩオフセットとＮＯＦＦＳＥＴ，ＰＩとの和に設定される。あるいは、ＰＩは、追加のＰＩタイミングを定義せず、ＲＩとともに符号化され送信される。また、ｗＣＱＩに対するＰＩの期間及びオフセットは、ｗＣＱＩの期間のＭＰＩ倍及びｗＣＱＩのオフセットとＮＯＦＦＳＥＴ，ＰＩとの和としてそれぞれ定義される。また、モード２−１が拡張される場合に、ＪＴ＿ｗＣＱＩ及びＪＴ＿ｓＣＱＩのすべてが定義され、ＤＳ−ＣＱＩとともに送信されるか、又はＪＴ＿ｗＣＱＩ及びＪＴ＿ｓＣＱＩのうちの１つが定義され、与えられたタイミングでＤＳ−ＣＱＩとともに送信される。２種類のＰＭＩ情報及び２種類のＰＴＩを追加で含む８本のＣＳＩ−ＲＳアンテナポートに対するフィードバックモードにおいて、ＵＥは、例８におけるような同一の方法で従来のフィードバック構造でＰＩ及びＪＴ＿ＣＱＩ／ＪＴ＿ＰＭＩを追加でフィードバックする。
【０１１２】
他の例において、測定セットが｛Ｃｅｌｌ−１、Ｃｅｌｌ−２、Ｃｅｌｌ−３、Ｃｅｌｌ−４｝であり、ＢＳが測定セットから選択されたＵＥが選好する２個のセルに関するチャネル情報の受信及びＤＳ−ＣＱＩとは異なるタイミングでＪＴ＿ＣＱＩ／ＪＴ＿ＰＭＩの受信を希望する場合に、ＢＳは、２つのフィードバックモード、ＪＴ＿ＣＱＩ／ＪＴ＿ＰＭＩの送信タイミングに関するタイミング情報、及びフィードバックモード及びタイミングに対応する測定セットのサブセットを次のように構成する。
【０１１３】
［例９］
■  フィードバック割り当て１：（モードＡ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＦ、Ｎｐｄ＝１０、ＭＲＩ＝２、ＭＰＩ＝２、Ｈ’’＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝、フィードバック割り当て１）
【０１１４】
例９において、モードＦは、例８のモードＥに比べて、ＪＴ＿ＣＱＩ／ＪＴ＿ＰＭＩの期間を示すパラメータＨ’’を含む。この場合に、ＪＴ＿ＣＱＩ／ＪＴ＿ＰＭＩの送信期間及びオフセットは、それぞれＨ’’・Ｎｐｄ及びＮＯＦＦＳＥＴ，ＣＱＩに設定される。すなわち、ＤＳ−ＣＱＩがＮｐｄの期間で送信される状況において、ＪＴ＿ＣＱＩ／ＪＴ＿ＰＭＩは、Ｈ’’回ごとに送信される。図１４は、例９に対して、２つのフィードバック割り当てにおけるＵＥのフィードバック送信タイミング及びフィードバック情報を示す。例９は、従来のモード１−１の拡張である。モード２−１が拡張される場合に、ＢＳは、Ｋ値をＵＥに追加で送信する。同様に、ＰＩの期間は、ＲＩ期間のＭＰＩ倍に設定され、ＰＩのオフセットは、ＲＩオフセットとＮＯＦＦＳＥＴ，ＰＩとの和に設定される。あるいは、ＰＩは、追加のＰＩタイミングを定義せず、ＲＩとともに符号化され送信される。また、ｗＣＱＩに対するＰＩの期間及びオフセットは、ｗＣＱＩの期間のＭＰＩ倍及びｗＣＱＩのオフセットとＮＯＦＦＳＥＴ，ＰＩとの和としてそれぞれ定義される。また、モード２−１が拡張される場合に、ＪＴ＿ｗＣＱＩ及びＪＴ＿ｓＣＱＩが定義され、ＤＳ−ＣＱＩとともに送信されるか、又はＪＴ＿ｗＣＱＩ及びＪＴ＿ｓＣＱＩの中の１つのみが定義され、与えられたタイミングでＤＳ−ＣＱＩとともに送信される。この場合に、ＪＴ＿ｓＣＱＩの送信タイミングは、ＪＴ＿ｗＣＱＩの送信期間Ｈ’’・ＮｐｄとオフセットＮＯＦＦＳＥＴ，ＣＱＩのタイミングの後に、（Ｈ−１）回のＪＴ−ｓＣＱＩがＮｐｄのサブフレームの間隔で送信されるように設定される。２種類のＰＭＩ情報及び２種類のＰＴＩを追加で含む８本のＣＳＩ−ＲＳアンテナポートに対するフィードバックモードにおいて、ＵＥは、例９におけるような同一の方法で従来のフィードバック構造でＪＴ＿ＣＱＩ／ＪＴ＿ＰＭＩを追加でフィードバックする。
【０１１５】
協調送信のためのチャネル情報が各セルのための個別のフィードバックとは異なるタイミング及び異なるモードでフィードバックされる。例えば、測定セットが｛Ｃｅｌｌ−１、Ｃｅｌｌ−２、Ｃｅｌｌ−３、Ｃｅｌｌ−４｝であり、ＢＳが測定セットから選択されたＵＥが選好する２個のセルに関するチャネル情報の受信、そのセル間の協調に基づくＪＴフィードバックの受信、及び各セルに対するチャネル情報とは個別にＪＴフィードバックの受信を希望する場合に、ＢＳは、個々のセルフィードバックのための２つのフィードバックモード及びＪＴのための１つのフィードバックモードを次のように構成する。
【０１１６】
［例１０］
■  フィードバック割り当て１：（モードＡ、Ｎｐｄ＝１０、ＭＲＩ＝２、ＭＰＩ＝２、ＮＯＦＦＳＥＴ，ＣＱＩ＝０、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て２：（モードＡ、Ｎｐｄ＝１０、ＭＲＩ＝２、ＭＰＩ＝２、ＮＯＦＦＳＥＴ，ＣＱＩ＝３、ＮＯＦＦＳＥＴ，ＲＩ＝−１、ＮＯＦＦＳＥＴ，ＰＩ＝−１、｛Ｃｅｌｌ−１、Ｃｅｌｌ−２、Ｃｅｌｌ−３、Ｃｅｌｌ−４｝）
■  フィードバック割り当て３：（モードＧ、Ｎｐｄ＝１０、ＭＲＩ＝２、ＮＯＦＦＳＥＴ，ＣＱＩ＝６、ＮＯＦＦＳＥＴ，ＲＩ＝−１、｛フィードバック割り当て１、フィードバック割り当て２｝）
【０１１７】
例１０において、モードＧは、フィードバック割り当て１及びフィードバック割り当て２から選択されるセル間でＪＴに基づくフィードバック情報としてＪＴ＿ＲＩ、ＪＴ＿ＰＭＩ、及びＪＴ＿ＣＱＩを送信するモードである。ＪＴフィードバックのために、フィードバック期間及びオフセットが従来のモード１−１として設定され、ＪＴに対するフィードバック割り当て番号も設定される。フィードバック割り当て番号は、ＵＥに個別にシグナリングされる。あるいは、フィードバック割り当て番号は、予め定められたフィードバック割り当て番号又は予め定められたセル間の協調のためのものである。ＪＴ＿ＲＩは、フィードバックされず、ＪＴ＿ＰＭＩ及びＪＴ＿ＣＱＩ情報だけが送信される。したがって、ＭＲＩ及びＮＯＦＦＳＥＴ，ＲＩは設定されない。
【０１１８】
図１５は、本発明の実施形態によるＵＥの構成を示すブロック図である。
【０１１９】
図１５を参照すると、ＵＥは、通信モジュール７１０及び制御部７２０を含む。
【０１２０】
通信モジュール７１０は、外部からデータの送信又は受信を行う。通信モジュール７１０は、制御部７２０の制御の下にＣｏＭＰのためのチャネル情報を中央制御装置に送信する。
【０１２１】
制御部７２０は、ＵＥを構成するすべての構成部の状態及び動作を制御する。制御部７２０は、現在のＵＥとセル間の通信状態に従って最適のセル又は協調通信のためのフィードバック情報を選択し、選択されたセルに関するチャネル情報を中央制御装置にフィードバックする。このために、制御部７２０は、チャネル推定部７３０を含む。
【０１２２】
チャネル推定部７３０は、中央制御装置から受信されるＣｏＭＰセット情報及びフィードバックモード情報に従ってＣＳＩ−ＲＳ別に必要なフィードバック情報を判定し、受信されたＣＳＩ−ＲＳを使用してチャネルを推定する。チャネル推定部７３０は、通信モジュール７１０を制御することによりＣｏＭＰと関連したチャネル情報を中央制御装置にフィードバックする。
【０１２３】
ここで、ＵＥは、通信モジュール７１０及び制御部７２０を含むと説明しているが、特定の構成に限定されない。すなわち、ＵＥは、ＵＥの機能に従って様々な他の構成部をさらに含む。例えば、ＵＥは、ＵＥの現在の状態を表示する表示部と、ユーザから機能実行命令のような信号を受信する入力部と、ＵＥから生成されたデータを格納する記憶部とを追加で含む。
【０１２４】
図１６は、本発明の実施形態によるＵＥの動作を示すフローチャートである。
【０１２５】
図１６を参照すると、ＵＥは、ステップ８０１において、中央制御装置からＣｏＭＰセット情報及びフィードバックモード情報を受信し、ステップ８０２において、この受信された情報に基づいてＣＳＩ−ＲＳ別に必要なフィードバック情報を判定する。ステップ８０３において、ＵＥは、この判定されたフィードバック情報に基づいてＣＳＩ−ＲＳを用いてチャネルを推定する。ステップ８０４において、チャネル推定結果に従ってＣｏＭＰと関連したチャネル情報を中央制御装置にフィードバックする。
【０１２６】
図１７は、本発明の実施形態による中央制御装置の構成を示すブロック図である。
【０１２７】
中央制御装置は、制御部９１０と通信モジュール９２０とを含む。
【０１２８】
制御部９１０は、中央制御装置内のすべての構成部の状態及び動作を制御する。制御部９１０は、ＵＥでのチャネル推定のためにセル別にＣＳＩ−ＲＳをそれぞれのリソースに割り当て、必要に応じて、ＣｏＭＰセットを割り当て、ＣｏＭＰセット情報をＵＥに送信する。このために、制御部９１０は、セル別リソース割り当て部９３０をさらに含む。
【０１２９】
セル別リソース割り当て部９３０は、ＵＥがセル別にチャネル推定のためのＣＳＩ−ＲＳにそれぞれのリソースを割り当て、通信モジュール９２０を通して割り当てられたリソースを使用してＣＳＩ−ＲＳを送信する。セル別に割り当てられたリソースは、チャネル推定のためのＣＳＩ−ＲＳに対応するように割り当てられる。
【０１３０】
通信部９２０は、ＵＥ又は自身が管理するセルとデータを送受信する機能を実行する。通信部９２０は、制御部９１０の制御の下に割り当てられたリソースを通してＣＳＩ−ＲＳをＵＥに送信し、チャネル情報を含むフィードバック情報をＵＥから受信する。
【０１３１】
図１８は、本発明の実施形態による中央制御装置の動作を示すフローチャートである。
【０１３２】
図１８を参照すると、中央制御装置は、ステップ１００１において、ＵＥがセル別にチャネル推定のためのＣＳＩ−ＲＳにそれぞれのリソースを割り当て、ステップ１００２において、対応するリソースを使用してＣＳＩ−ＲＳをＵＥに送信する。ステップ１００３において、中央制御装置は、チャネル情報を含むフィードバック情報をＵＥから受信する。
【０１３３】
以上、本発明を具体的な実施形態及び携帯端末の図面を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
0005969037.tif 000006
【図２】
0005969037.tif 000007
【図３】
0005969037.tif 000008
【図４】
0005969037.tif 000009
【図５】
0005969037.tif 000010
【図６】
0005969037.tif 000011
【図７】
0005969037.tif 000012
【図８】
0005969037.tif 000013
【図９】
0005969037.tif 000014
【図１０】
0005969037.tif 000015
【図１１】
0005969037.tif 000016
【図１２】
0005969037.tif 000017
【図１３】
0005969037.tif 000018
【図１４】
0005969037.tif 000019
【図１５】
0005969037.tif 000020
【図１６】
0005969037.tif 000021
【図１７】
0005969037.tif 000022
【図１８】
0005969037.tif 000023